(57)【要約】      （修正有）【課題】アンテナに関し、航空宇宙移動体のための位相調整された（ｐｈａｓｅｄ）全方向性アンテナシステム実現する。【解決手段】アンテナシステム１００は、第１のアンテナ１０２、第１のアンテナ１０２に対向する第２のアンテナ１０４とを含む。第１のアンテナ１０２及び第２のアンテナ１０４は、全方向カバレッジを提供するように構成されている。【選択図】図２
2017224872.tif 000002
【特許請求の範囲】
【請求項１】
第１のアンテナ（１０２）と、
前記第１のアンテナに対向する第２のアンテナ（１０４）と
を備えるアンテナシステム（１００）であって、前記第１のアンテナ及び前記第２のアンテナが全方向カバレッジを提供するように構成されている、システム（１００）。
【請求項２】
前記第１のアンテナは第１の放射パターン（１１４）を有し、前記第２のアンテナは第２の放射パターン（１１６）を有し、
前記第１の放射パターンは第１のヌル（１１８）を含み、前記第２の放射パターンは前記第１のヌルに対向する第２のヌル（１２０）を含み、
前記第１の放射パターンは前記第２のヌルを埋め、前記第２の放射パターンは前記第１のヌルを埋める、請求項１に記載のシステム。
【請求項３】
前記第１のアンテナ及び前記第２のアンテナは、前記第１の放射パターンと前記第２の放射パターンとの相互作用による相殺的干渉を防止するために、位相調整されている、請求項２に記載のシステム。
【請求項４】
前記第１のアンテナ及び前記第２のアンテナがそれぞれ、第１の周波数帯（１３６）内で動作するように構成されている、請求項１に記載のシステム。
【請求項５】
前記第１のアンテナ及び前記第２のアンテナのうち少なくとも一方が、第２の周波数帯（１３８）内で動作するように更に構成されており、前記第２の周波数帯と前記第１の周波数帯とが異なる、請求項４に記載のシステム。
【請求項６】
前記第１のアンテナは複数の第１のアンテナ要素（１４０）を含み、
前記第１のアンテナ要素のうち少なくとも２つはそれぞれ、第１の周波数帯（１３６）内で動作するように構成された第１の長さ（Ｌ１）を有し、
前記第２のアンテナは複数の第２のアンテナ要素（１４２）を含み、
前記第２のアンテナ要素のうち少なくとも２つはそれぞれ、前記第１の周波数帯内で動作するように構成された前記第１の長さを有する、請求項１に記載のシステム。
【請求項７】
前記第１のアンテナ要素の各々は、前記第１のアンテナ要素のうちの別の１つから誘電性材料（１５０）によって物理的に分離されており、
前記第２のアンテナ要素の各々は、前記第２のアンテナ要素のうちの別の１つから前記誘電性材料によって物理的に分離されている、請求項６に記載のシステム。
【請求項８】
前記第１のアンテナ要素及び前記第２のアンテナ要素のうち少なくとも一方は、第２の周波数帯（１３８）内で動作するように構成された第２の長さ（Ｌ２）を有し、前記第２の周波数帯と前記第１の周波数帯とが異なる、請求項６に記載のシステム。
【請求項９】
前記第１のアンテナ要素及び前記第２のアンテナ要素のうち少なくとも一方は、第３の周波数帯（１４８）内で動作するように構成された第３の長さ（Ｌ３）を有し、前記第３の周波数帯、前記第１の周波数帯、及び前記第２の周波数帯が異なる、請求項８に記載のシステム。
【請求項１０】
アンテナシステム（１００）の全方向カバレッジを提供する方法（３００）であって、
第１のヌル（１１８）を含む第１の放射パターン（１１４）を有する第１のアンテナ（１０２）を提供すること（３０４）、
前記第１のアンテナに対向し、第２のヌル（１２０）を含む第２の放射パターン（１１６）を有する第２のアンテナ（１０４）を提供すること（３０８）、
前記第１のヌルを前記第２の放射パターンで埋めること（３１２）、及び
前記第２のヌルを前記第２の放射パターンで埋めること（３１４）
を含む、方法。
【請求項１１】
前記第１の放射パターンと前記第２の放射パターンとの相互作用による相殺的干渉を防止するために、前記第１のアンテナ及び前記第２のアンテナを位相調整すること（３１６）を更に含む、請求項１０に記載の方法。
【請求項１２】
第１の端部（１１０）と前記第１の端部に対向する第２の端部（１１２）とを含む構造物（１０８）を提供すること（３０２）、
前記第１のアンテナを前記構造物の前記第１の端部に連結すること（３０６）、及び
前記第２のアンテナを前記構造物の前記第２の端部に連結すること（３１０）を更に含み、
前記構造物は前記第１のヌル及び前記第２のヌルを発生させ、
前記第１のアンテナ及び前記第２のアンテナはそれぞれ、第１の周波数帯（１３６）内で動作するように構成されており、
前記第１のアンテナ及び前記第２のアンテナのうち少なくとも一方は更に、第２の周波数帯（１３８）内で動作するように構成されており、
前記第２の周波数帯と前記第１の周波数帯とが異なる、
請求項１１に記載の方法。
【発明の詳細な説明】
【背景技術】
【０００１】
本開示は、概してアンテナに関し、より詳細には、例えば航空宇宙移動体のための位相調整された（ｐｈａｓｅｄ）全方向性アンテナシステムに関する。
【０００２】
現代の移動体の多くはアンテナシステムを用いて無線通信を送受信する。典型的に、アンテナは移動体の外側に設置（例えば固定）される。所望の通信カバレッジをもたらすために、アンテナがサイズ及び位置について特定の制約を受けることがある。
【０００３】
航空宇宙移動体において、特定のタイプのアンテナ及び／又はアンテナ位置は、露出環境（例えば、エアフロー、着氷、耐雷性など）、構造上の要件、カバレッジ要件（例えば、機体のシャドウイング、地上のクリアランス、アンテナの過密状況など）、及び／又は空力上のシャドウイング効果（例えば、重量、空気抵抗など）の様々な因子を考慮しなくてはならない。機外に設置されるアンテナにおける解決策の１つは、移動体の外側に取り付けられたレードームでアンテナを覆うことである。レードームによって、アンテナの空力効果及び／又は露出環境が幾分軽減され得るが、レードームの使用によりアンテナシステムの複雑性、重量、及びコストが増大する。
【０００４】
これらの要因を考慮すると、アンテナを航空宇宙移動体の外側に取り付ける適切な位置を見出すことが困難である場合がある。具体的な１つの例としてヘリコプターの場合、ヘリコプター本体の外側にアンテナを取り付ける適切な位置であって、ヘリコプターの回転翼、安定板、又は操縦翼面をアンテナが妨害しない位置を見出すことは更に困難であり得る。ある構造の航空宇宙移動体は他の構造よりも、特に短波（「ＨＦ」）、超短波（「ＶＨＦ」）及び／又は極超短波（「ＵＨＦ」）などのより長い波長のためのコンフォーマルアンテナの魅力的な埋め込み位置を提供し得る。
【０００５】
そのため当業者は、航空宇宙移動体用アンテナシステムの分野において研究開発の努力を継続している。
【発明の概要】
【０００６】
一実施例で、本開示のアンテナシステムは、第１のアンテナ、及び第１のアンテナに対向する第２のアンテナを含み得、第１のアンテナ及び第２のアンテナは全方向カバレッジを提供するように構成されている。
【０００７】
別の実施例で、本開示のアンテナシステムは、第１の端部、及び第１の端部に対向する第２の端部を含む構造物を含み得、第１のアンテナは構造物の第１の端部に連結されており、第２のアンテナは構造物の第２の端部に連結されており、第１のアンテナ及び第２のアンテナは、全方向カバレッジを提供するように構成されている。
【０００８】
更に別の実施例で、本開示のアンテナシステムの全方向カバレッジを提供する方法は、下記ステップを含み得る。（１）第１のアンテナを提供するステップであって、第１のアンテナは第１の放射パターンを有し、第１の放射パターンは第１のヌルを含むステップ、（２）第１のアンテナに対向する第２のアンテナを提供するステップであって、第２のアンテナは第２の放射パターンを有し、第２の放射パターンは第２のヌルを含むステップ、（３）第１のヌルを第２の放射パターンで埋めるステップ、及び（４）第２のヌルを第２の放射パターンで埋めるステップ。
【０００９】
更に、本発明は下記の条項による実施例を含む。
【００１０】
条項１
第１のアンテナ、及び第１のアンテナに対向する第２のアンテナを含むアンテナシステムであって、第１のアンテナ及び第２のアンテナは全方向カバレッジを提供するように構成されている、システム。
【００１１】
条項２
第１のアンテナは第１の放射パターンを有し、第２のアンテナは第２の放射パターンを有し、第１の放射パターンは第１のヌルを含み、第２の放射パターンは第１のヌルに対向する第２のヌルを含み、第１の放射パターンは第２のヌルを埋め、第２の放射パターンは第１のヌルを埋める、条項１に記載のシステム。
【００１２】
条項３
第１のアンテナ及び第２のアンテナは、第１の放射パターンと第２の放射パターンとの相互作用による相殺的干渉を防止するために、位相調整されている、条項２に記載のシステム。
【００１３】
条項４
第１のアンテナ及び第２のアンテナがそれぞれ、第１の周波数帯内で動作するように構成されている、条項１に記載のシステム。
【００１４】
条項５
第１のアンテナ及び第２のアンテナのうち少なくとも一方が、第２の周波数帯内で動作するように更に構成されており、第２の周波数帯と第１の周波数帯とが異なる、条項４に記載のシステム。
【００１５】
条項６
第１のアンテナは複数の第１のアンテナ要素を含み、第１のアンテナ要素のうち少なくとも２つはそれぞれ、第１の周波数帯内で動作するように構成された第１の長さを有し、第２のアンテナは複数の第２のアンテナ要素を含み、第２のアンテナ要素のうち少なくとも２つはそれぞれ、第１の周波数帯内で動作するように構成された第１の長さを有する、条項１に記載のシステム。
【００１６】
条項７
第１のアンテナ要素の各々は、第１のアンテナ要素のうちの別の１つから誘電性材料によって物理的に分離されており、第２のアンテナ要素の各々は、第２のアンテナ要素のうちの別の１つから誘電性材料によって物理的に分離されている、条項６に記載のシステム。
【００１７】
条項８
第１のアンテナ要素及び第２のアンテナ要素のうち少なくとも一方は、第２の周波数帯内で動作するように構成された第２の長さを有し、第２の周波数帯と第１の周波数帯とが異なる、条項６に記載のシステム。
【００１８】
条項９
第１のアンテナ要素及び第２のアンテナ要素のうち少なくとも一方は、第３の周波数帯内で動作するように構成された第３の長さを有し、第３の周波数帯、第１の周波数帯、及び第２の周波数帯が異なる、条項８に記載のシステム。
【００１９】
条項１０
第１の端部、及び第１の端部に対向する第２の端部を含む構造物、構造物の第１の端部に連結された第１のアンテナ、並びに、構造物の第２の端部に連結された第２のアンテナを含む、アンテナシステムであって、第１のアンテナ及び第２のアンテナは、全方向カバレッジを提供するように構成されている、システム。
【００２０】
条項１１
第１のアンテナは第１の放射パターンを有し、第２のアンテナは第２の放射パターンを有し、構造物は、第１の放射パターン内に第１のヌルを発生させ且つ第２の放射パターン内に第２のヌルを発生させ、第１の放射パターンは第２のヌルを埋め、第２の放射パターンは第１のヌルを埋める、条項１０に記載のシステム。
【００２１】
条項１２
第１のアンテナ及び第２のアンテナは、第１の放射パターンと第２の放射パターンとの相互作用による相殺的干渉を防止するために、位相調整されている、条項１１に記載のシステム。
【００２２】
条項１３
第１のアンテナは複数の第１のアンテナ要素を含み、第１のアンテナ要素のうち少なくとも２つはそれぞれ、第１の周波数帯内で動作するように構成された第１の長さを有し、第２のアンテナは複数の第２のアンテナ要素を含み、第２のアンテナ要素のうち少なくとも２つはそれぞれ、第１の周波数帯内で動作するように構成された第１の長さを有する、条項１２に記載のシステム。
【００２３】
条項１４
第１のアンテナ要素は、第１の複合プライ間に埋め込まれて第１のアンテナ構造物を形成しており、第２のアンテナ要素は、第２の複合プライ間に埋め込まれて第２のアンテナ構造物を形成しており、第１の複合プライ及び第２の複合プライが低誘電性材料を含む、条項１３に記載のシステム。
【００２４】
条項１５
第１のアンテナ構造物は、航空宇宙移動体の前縁に配置された第１のフェアリングであり、第２のアンテナ構造物は、航空宇宙移動体の後縁に配置された第２のフェアリングである、条項１４に記載のシステム。
【００２５】
条項１６
第１のアンテナ要素及び第２のアンテナ要素のうち少なくとも一方は、第２の周波数帯内で動作するように構成された第２の長さを有し、第２の周波数帯と第１の周波数帯とが異なる、条項１３に記載のシステム。
【００２６】
条項１７
第１のアンテナ要素及び第２のアンテナ要素のうち少なくとも一方は、第３の周波数帯内で動作するように構成された第３の長さを有し、第３の周波数帯、第１の周波数帯、及び第２の周波数帯が異なる、条項１６に記載のシステム。
【００２７】
条項１８
アンテナシステムの全方向カバレッジを提供する方法であって、第１のヌルを含む放射パターンを有する第１のアンテナを提供するステップ、第１のアンテナに対向し、第２のヌルを含む第２の放射パターンを有する第２のアンテナを提供するステップ、第１のヌルを第２の放射パターンで埋めるステップ、及び第２のヌルを第２の放射パターンで埋めるステップ、を含む方法。
【００２８】
条項１９
第１の放射パターンと第２の放射パターンとの相互作用による相殺的干渉を防止するために、第１のアンテナ及び第２のアンテナを位相調整することを更に含む、条項１８に記載の方法。
【００２９】
条項２０
第１の端部と第１の端部に対向する第２の端部とを含む構造物を提供するステップ、第１のアンテナを構造物の第１の端部に連結するステップ、及び第２のアンテナを構造物の第２の端部に連結するステップを更に含み、構造物は第１のヌル及び第２のヌルを発生させ、第１のアンテナ及び第２のアンテナはそれぞれ、第１の周波数帯内で動作するように構成されており、第１のアンテナ及び第２のアンテナのうち少なくとも一方は更に、第２の周波数帯内で動作するように構成されており、第２の周波数帯と第１の周波数帯とが異なる、条項１９に記載の方法。
【００３０】
本開示にシステム及び方法の他の実施例は、以下の詳細な説明、添付の図面及び別記の特許請求の範囲により明確となるであろう。本明細書で用いられる本開示の具体的な実施例という語は、それらが矛盾しない限り同じ実施例又は代替的な実施例をさす。
【図面の簡単な説明】
【００３１】
【図１】本開示のアンテナシステムの一実施例の概略ブロック図である。
【図２】図１のアンテナシステムの一実施例の概略平面図である。
【図３】図１のアンテナシステムの一実施例の概略側面図である。
【図４】図１のアンテナシステムの一実施例の概略側面図である。
【図５】図１のアンテナシステムの一実施例の概略側面図である。
【図６】図１のアンテナシステムの一実施例の概略側面図である。
【図７】アンテナシステムの一実施例の概略ブロック図である。
【図８】図１の移動体の一実施例の概略斜視図である。
【図９】図１の構造物の一実施例の概略側面図である。
【図１０】図１の構造物、第１のフェアリング、及び第２のフェアリングの一実施例の分解概略側面図である。
【図１１】図１の構造物及びフェアリングの一実施例の部分概略斜視図である。
【図１２】図１１の第１のフェアリング支持体の一実施例の概略斜視図である。
【図１３】図１１の第２のフェアリング支持体の一実施例の概略斜視図である。
【図１４】図１の構造物の一実施例の概略側面図である。
【図１５】図１４のアンテナ構造物の一実施例の概略斜視図である。
【図１６】図１５のアンテナ要素の一端部の一実施例の概略正面図である。
【図１７】図１のアンテナシステムの全方向カバレッジを提供するための本開示の方法の一実施例を示すフロー図である。
【図１８】航空宇宙移動体の製造及び保守方法のブロック図である。
【図１９】航空宇宙移動体の概略図である。
【発明を実施するための形態】
【００３２】
以下の詳細な説明は添付の図面に言及しているが、これら図面は本発明の具体的な実施例を示している。異なる構造及び工程を有する他の実施例も、本開示の範囲から逸脱するものではない。同様の参照番号は、別々の図面における同一の要素又はコンポーネントを表し得る。
【００３３】
上記の図１、７、及び１９で、様々な要素及び／又は構成要素を接続する実線が存在する場合、これらの実線は、機械的、電気的、流体的、光学的、電磁的、及びその他の連結、並びに／又はその組合せを表し得る。本書で使用する際、「連結される」とは、直接的に或いは間接的に関連付けられることを意味する。例えば、部材Ａは部材Ｂに直接的に関連付けられるか、又は例えば別の部材Ｃを介して間接的に関連付けられていてよい。開示される種々の要素間の関係が全て表されているわけではないことは、理解されるであろう。そのため、ブロック図に図示されているもの以外の連結も存在し得る。様々な要素及び／又は構成要素を示すブロックを接続する破線が存在する場合、これらの破線は、機能及び目的の点で実線によって表されているものに類似した連結を表す。しかし、破線によって表された連結は、選択的に提供されるか、又は、本開示の代替的な実施例に関するかのどちらかであり得る。同様に、破線で表された要素及び／又は構成要素が存在する場合、それらは本開示の代替的な実施例を示す。実線及び／又は破線で示される一又は複数の要素は、本開示の範囲から逸脱することなく、特定の例示から省略され得る。図１に示す特徴のうちの幾つかは、図１、他の図面、及び／又は付随する開示に記載された他の特徴を含むことを必要とせずに、様々な方法で組み合わされ得ることを（一又は複数のかかる組み合わせは本書で明示的に示されていないが）、当業者は理解するであろう。同様に、提示されている実施例に限定されない追加的な特徴が、本書で示され説明されている特徴のうちの幾つか又は全てと組み合わされ得る。
【００３４】
上記の図１７及び１８では、ブロックは動作及び／又はその一部を表すことが可能であり、様々なブロックを接続する線は、動作又はその一部のいかなる特定の順番又は依存性も暗示しない。破線で示されるブロックは、代替的な工程及び／又はその一部を表す。様々なブロックを接続する破線が存在する場合、それらは工程又はその一部の代替的な従属関係を表す。開示されている様々な工程間の必ずしも全ての従属関係が表されているわけではないことが、理解されよう。本書に明記された一又は複数の方法の実施を説明する、図１７及び１８並びにこれらに付随する記載は、必ずしも、動作が実行されるシーケンスを決定すると解釈すべきではない。むしろ、１つの例示的な順番が示されていても、工程のシーケンスは、それが適当な場合には改変され得ると理解されたい。そのため、ある工程が異なる順番で又は同時に実行され得る。加えて、説明されている全ての動作を実施する必要はないことを、当業者は認識するであろう。
【００３５】
本書で「実施例」に言及することは、当該実施例に関連して説明される１又は複数の特徴、構造又は特性が、少なくとも１つの実施例又は実装例に含まれることを意味する。本明細書内の様々な個所で使われている「一実施例」又は「別の実施例」という表現は、同一の実施例を表してもよく、又はそうでなくてもよい。
【００３６】
図１及び２を参照すると、全体として１００で示すアンテナシステムの一実施例が記載されている。アンテナシステム１００は、全方向カバレッジを提供するように構成され得る。アンテナシステム１００は、第１のアンテナ１０２と第１のアンテナ１０２に対向する第２のアンテナ１０４とを含み得る。第１のアンテナ１０２及び第２のアンテナ１０４は整列していてよい。第１のアンテナ１０２及び第２のアンテナ１０４は、電磁放射１０６（例えば電波）の全方向カバレッジを提供するように構成され得る。第１のアンテナ１０２及び第２のアンテナ１０４は、電磁放射１０６（例えば電波）を送信及び／又は受信するように構成され任意の適切なタイプのアンテナ（例えば、単一要素のアンテナ構造物又は複数要素のアンテナアセンブリ）であり得る。
【００３７】
別途提示されない限り、「第１」「第２」「第３」「第４」などの用語は、本明細書では単に符号として使用され、それらの用語が表すアイテムに順序的、位置的、又は序列的な要件を課すことを意図していない。更に、「第２の」アイテムへの言及は、より低い番号のアイテム（例えば「第１の」アイテム）及び／又はより高い番号のアイテム（例えば、「第３の」アイテム）の存在を要求せず且つ除外しない。
【００３８】
一例として、第１のアンテナ１０２及び／又は第２のアンテナ１０４は、シングルバンド放射（例えば、１つの周波数帯）を提供するように構成され得る。一般的且つ非限定的な例として、第１のアンテナ１０２及び／又は第２のアンテナ１０４が単一要素のアンテナであり得る。非限定的な一例として、第１のアンテナ１０２及び／又は第２のアンテナ１０４がダイポールアンテナであり得る。別の非限定的な例として、第１のアンテナ１０２及び／又は第２のアンテナ１０４がモノポールアンテナであり得る。別の非限定的な例として、第１のアンテナ１０２及び／又は第２のアンテナ１０４がスロットアンテナであり得る。更に別の非限定的な例として、第１のアンテナ１０２及び／又は第２のアンテナ１０４が、空洞付き（ｃａｖｉｔｙ−ｂａｃｋｅｄ）アンテナ（例えば、空洞付きスロットアンテナ、空洞付きスパイラルアンテナ、空洞付きフラットアンテナなど）であり得る。
【００３９】
別の例としては、下記で詳述するように、第１のアンテナ１０２及び／又は第２のアンテナ１０４が、マルチバンド放射（例えば２つ以上の周波数帯）を提供するように構成されていてもよい。一般的且つ非限定的な例として、第１のアンテナ１０２及び／又は第２のアンテナ１０４は、複数要素のアンテナであり得る。非限定的な一例として、第１のアンテナ１０２及び／又は第２のアンテナ１０４は、ステーク（ｓｔａｋｅ）モノポール（例えば、フラット）アンテナのアレイスタックであり得る。別の非限定的な例として、第１のアンテナ１０２及び／又は第２のアンテナ１０４がスリーブモノポールアンテナであり得る。別の非限定的な例として、第１のアンテナ１０２及び／又は第２のアンテナ１０４がスパイラルアンテナであり得る。別の非限定的な例として、第１のアンテナ１０２及び／又は第２のアンテナ１０４がアンテナ（例えば、フラットアンテナ）のダイポールアレイであり得る。更に別の非限定的な例として、第１のアンテナ１０２及び／又は第２のアンテナ１０４がマルチアームスパイラルアンテナであり得る。
【００４０】
一例として、例えば、電波の（例えば、無線送信及び／又は受信のための）垂直偏波をもたらすよう、第１のアンテナ１０２及び第２のアンテナ１０４が垂直配向を有し得る。別の例として、例えば、電波の（例えば、テレビジョン送信及び／又は受信のための）水平偏波をもたらすよう、第１のアンテナ１０２及び第２のアンテナ１０４が水平配向を有し得る。更に別の例として、例えば、電波の円偏波をもたらすために、第１のアンテナ１０２及び第２のアンテナ１０４が垂直及び水平配向を有し得る。第１のアンテナ１０２及び第２のアンテナ１０４のその他の配向も意図される。当業者は、第１のアンテナ１０２及び第２のアンテナ１０４の具体的な配向は用途に応じたものであることを認識するであろう。
【００４１】
図２、及び図１を参照すると、第１のアンテナ１０２は、第１の放射パターン１１４を含み（例えば、提供するように構成され）得る。第２のアンテナ１０４は、第２の放射パターン１１６を含み（例えば、提供するように構成され）得る。第１の放射パターン１１４は、第１のヌル１１８を含み得る（例えば、第１のヌル１１８が第１の放射パターン１１４内に位置し得る）。第２の放射パターン１１６は第２のヌル１２０を含み得る（例えば、第２のヌル１２０が第２の放射パターン１１６内に位置し得る）。第１の放射パターン１１４及び第２の放射パターン１１６は、互いに補完しあって全方向放射パターンを提供し得る。一例として、第１のアンテナ１０２及び第２のアンテナ１０４の作動中、第１の放射パターン１１４が第２のヌル１２０を埋め、第２の放射パターン１１６が第１のヌル１１８を埋めて、全方向放射パターンを提供し得る。従って、一例として、全方向放射パターンは、第１の放射パターン１１４と第２の放射パターン１１６との和を含む複合パターンであり得る。
【００４２】
図２、及び図１を参照すると、第１のアンテナ１０２及び第２のアンテナ１０４は構造物１０８上に配置され得る。一例として、第１のアンテナ１０２及び第２のアンテナ１０４が構造物１０８に連結され得る。別の例として、第１のアンテナ１０２及び第２のアンテナ１０４が、構造物１０８内（例えば一部分）に埋め込まれてもよい。別の例として、第１のアンテナ１０２及び／又は第２のアンテナ１０４がコンフォーマルアンテナであり得る。一例として、第１のアンテナ１０２及び／又は第２のアンテナ１０４が、例えば構造物１０８の一部分の形状など何らかの所定の形状に従うか、或いは共形であるように構成されていてもよい。
【００４３】
構造物１０８は、第１のアンテナ１０２と第２のアンテナ１０４とを分離し得る。一例として、構造物１０８は、第１の端部１１０、第１の端部１１０に対向する第２の端部１１２、第１の端部１１０と第２の端部１１２との間で延びる第１の側１２２、及び、第１の端部１１０と第２の端部１１２との間で延び且つ第１の側１２２に対向する第２の側１２４を含み得る。第１のアンテナ１０２は、構造物１０８の第１の端部１１０に配置され得る。第２のアンテナ１０４は、構造物１０８の第２の端部１１２に配置され得る。第１の端部１１０と第２の端部１１２との間の線寸法が、第１のアンテナ１０２と第２のアンテナ１０４との間の離間距離Ｓを規定し得る。
【００４４】
図３、及び図２を参照すると、構造物１０８又はその一部分は、第１のアンテナ１０２（例えば、第１のアンテナ要素１４０）及び／又は第２のアンテナ１０４（例えば、第２のアンテナ要素１４２）を覆い且つ／又は保護するためのレードームとして機能し得る。
【００４５】
第１の放射パターン１１４内の第１のヌル１１８、及び第２の放射パターン１１６内の第２のヌル１２０が、構造物１０８によって発生し得る。一例として、例えば、構造物１０８が第１のアンテナ１０２と第２のアンテナ１０４との間にあることにより発生する構造物１０８のシャドウイングが、第１のヌル１１８及び第２のヌル１２０を発生させ得る。構造物１０８によって発生するシャドウイングの量（例えば、第１のヌル１１８及び第２のヌル１２０のサイズ）は、例えば、構造物１０８の幅Ｗ（例えば、構造物１０８の第１の側１２２と第２の側１２４との間の線寸法）、及び／又は、第１のアンテナ１０２及び／又は第２のアンテナ１０４の動作波長に依存し得る。第１のアンテナ１０２及び第２のアンテナ１０４の作動中、第１の放射パターン１１４が構造物１０８によって発生したシャドウ内を（例えば、第２のヌル１２０を埋めるために）放射し得、第２の放射パターン１１６が構造物１０８によって発生したシャドウ内を（例えば、第１のヌル１１８を埋めるために）放射し得、全方向放射パターンを提供するために構造物１０８のシャドウイングを考慮し得る。
【００４６】
第１のアンテナ１０２の第１の放射パターン１１４と第２のアンテナ１０４の第２の放射パターン１１６とは、重なり領域を有し得る。一例として、且ついかなる特定の理論にも限定しないが、（例えば、約１８０度の位相差が存在する）重なり領域では、放射パターンが、遠方界パターン相殺的干渉として知られる現象においてキャンセルされ得る。この影響を低減するため、放射パターンが位相調整され得、それらがキャンセルする領域を、キャンセル且つ／又は電波の伝送に影響する可能性がより低い角度レンジへと移動させ得る。一般的に、これらの領域は、第１のアンテナ１０２の第１の放射パターン１１４の大きさと第２のアンテナ１０４の第２の放射パターン１１６の大きさとが大幅に不均等である領域であるので、それらの位相が相反する領域で加えてもキャンセルに至らない領域である。  
【００４７】
起こり得る相殺的干渉を考慮して、第１の放射パターン１１４と第２の放射パターン１１６との逆相の（ｏｕｔ  ｏｆ  ｐｈａｓｅ）重なりを防止するために、例えば、構造物１０８によってシャドウイング（例えばブロック）されていない領域で、第１のアンテナ１０２及び第２のアンテナ１０４が位相調整され得る。第１のアンテナ１０２及び第２のアンテナ１０４を位相調整することにより、例えば、構造物１０８の第１の側１２２及び第２の側１２４の外方向への二次的な（例えば干渉）ヌル（図示せず）の形成を防止し得る。一例として、第１の放射パターン１１４と第２の放射パターン１１６との干渉による相殺的干渉を防止するために、第１のアンテナ１０２及び第２のアンテナ１０４が位相調整され得る。一例として、第１の放射パターン１１４と第２の放射パターン１１６との相殺的遠方界干渉（例えば、第１の放射パターン１１４と第２の放射パターン１１６との重なりの逆相の合算によって起こる）を第１のヌル１１８及び／又は第２のヌル１２０の一方へと操作するために、第１のアンテナ１０２及び第２のアンテナ１０４が位相調整され得る。
【００４８】
当業者は、相殺的干渉の量が、少なくとも部分的に例えば構造物１０８の幅Ｗ（例えばその厚み）により決定され得るということを認識するであろう。一例として、構造物１０８の幅Ｗが増大（例えば、第１の側１２２と第２の側１２４との間の直線距離が増大）するにつれて、第１の放射パターン１１４と第２の放射パターン１１６との重なり領域が減少し得る。
【００４９】
第１の放射パターン１１４と第２の放射パターン１１６との相互作用により存在する相殺的干渉、及び相殺的干渉を適切に低減させるのに必要な位相調整の量は、例えば、具体的な用途、構造物１０８のサイズ及び形状（例えば構造物１０８の幅Ｗ）、動作波長、アンテナのタイプ（例えば、要素のタイプ、物理的寸法及び／又はレイアウト）、第１の放射パターン１１４の形状、第２の放射パターン１１６の形状、及び／又は第１のアンテナ１０２と第２のアンテナ１０４との間の離間距離Ｓに依存して変化し得る。
【００５０】
非限定的な例として、相殺的干渉を適切に減少させるのに必要な第１の放射パターン１１４と第２の放射パターン１１６との間の位相差の量（例えば時間遅延）は、分析的に、計測により経験的に、或いはシミュレーションによりパラメトリックに決定され得る。
【００５１】
図１を全体として参照すると、アンテナシステム１００は位相シフタ１２６を含み得る。位相シフタ１２６は、第１のアンテナ１０２及び第２のアンテナ１０４に、例えば、第１のアンテナ１０２及び第２のアンテナ１０４と無線アセンブリ１３４との間に連結され得る。位相シフタ１２６は、第１のアンテナ１０２及び第２のアンテナ１０４の実効放射パターンを所望の方向で設定し、且つ／又は第１の放射パターン１１４と第２の放射パターン１１６と間に時間遅延を導入するように構成され得る。
【００５２】
例えばアンテナシステム１００の構成、構造物１０８の構成（例えばサイズ及び／又は形状）などに応じて、第１のアンテナ１０２（例えば第１の放射パターン１１４）及び第２のアンテナ１０４（例えば第２の放射パターン１１６）を位相調整するために、種々のタイプの位相シフタ１２６が使用され得、且つ／又は様々な技法が使用され得ることを、当業者は認識するであろう。
【００５３】
図１を参照すると、一例として、位相シフタ１２６が第１の供給ライン１２８と第２の供給ライン１３０とを含み得る。第１の供給ライン１２８は、第１のアンテナ１０２と無線アセンブリ１３４との間に連結され得る。第２の供給ライン１３０は、第２のアンテナ１０４と無線アセンブリ１３４との間に連結され得る。第１の供給ライン１２８及び／又は第２の供給ライン１３０は、送信機からアンテナへ高周波（「ＲＦ」）信号を送信できる任意の適切な導体を含み得る。非限定的な一例として、第１の供給ライン１２８及び／又は第２の供給ライン１３０は、送信機からアンテナへ高周波（「ＲＦ」）信号を送信できる同軸ケーブルを含み得る。同軸ケーブルは、第１のアンテナ１０２及び第２のアンテナ１０４にそれぞれ連結されるように構成されたコネクタ（例えば、ネジ付きニール・コンセルマン（「ＴＮＣ」）コネクタ）を有する。
【００５４】
一例として、第１の供給ライン１２８と第２の供給ライン１３０とが異なる長さを有することにより、適切な位相シフトが達成され得る。一例として、第１の供給ライン１２８が第１の長さｌ１を含み得、第２の供給ライン１３０が第２の長さｌ２を含み得る。第１の供給ライン１２８の第１の長さｌ１と第２の供給ライン１３０の第２の長さｌ２とは異なり得る。一例として、第１の供給ライン１２８の第１の長さｌ１が、第２の供給ライン１３０の第２の長さｌ２より大きく（例えばより長く）てよい。別の例として、第２の供給ライン１３０の第２の長さｌ２が、第１の供給ライン１２８の第１の長さｌ１よりも大きく（例えばより長く）てもよい。
【００５５】
特定の理論に限定するものではないが、現在、同じ無線送信機から送信された電波を放射する２つのアンテナの放射パターン間で位相シフト（例えば時間遅延）が達成される際、異なる供給ラインの特定の長さが１つの因子であると考えられている。従って、第１の供給ライン１２８の第１の長さｌ１と第２の供給ライン１３０の第２の長さｌ２とを異なるものとすることによって、例えば、動作波長及び第１の長さｌ１と第２の長さｌ２との間の差によって決定される限られた周波数レンジについて、相殺的干渉を低減するための適切な量の位相差が達成され得る。
【００５６】
供給ラインの長さ（例えば、第１の供給ライン１２８の第１の長さｌ１及び第２の供給ライン１３０の第２の長さｌ２）と、位相調整との間の関係性は、一般的に下記の方程式により定義され得る。
Ｄ＝Ｒ×Ｔ                                      （式１）
式中、Ｄは無線送信機とアンテナとの間の距離であり供給ラインの長さによって定義され、Ｒは高周波（「ＲＦ」）信号速度であり供給ラインを通るＲＦ信号の速度によって定義され、Ｔは、適切な（又は所望の）位相調整を達成するために望まれる時間遅延を定義する時間である。
【００５７】
従って、所望の位相シフト（例えば時間遅延）が決定されると、第１の供給ライン１２８及び第２の供給ライン１３０の各々の長さが決定され得る。従って、第１の供給ライン１２８の第１の長さｌ１と第２の供給ライン１３０の第２の長さｌ２との間の差は、第１のアンテナ１０２と第２のアンテナ１０４との間の所定の（例えば、所望の）位相関係に基づき得る。
【００５８】
Ｒは、供給ラインとして使用される導体のタイプ、及び／又は、使用される特定の供給ラインの速度因子（例えば、真空中の光の速さの分数である既知の定数）を含むがこれらに限定されない様々な因子によって決定され得ることを、当業者は認識するであろう。
【００５９】
当業者はまた、同じ無線送信機から送信された電波を放射する２つのアンテナの放射パターンの間に適切な位相シフトを決定するために、本明細書に記載する因子以外の因子を用いて、供給ラインの長さと２つのアンテナの位相調整との間に関係性が確立され得ることも認識するであろう。
【００６０】
第１のアンテナ１０２及び第２のアンテナ１０４の適切な又は所望の位相調整を達成するために、異なる長さの供給ライン（例えば、第１の長さｌ１を有する第１の供給ライン１２８、及び、第１の長さｌ１とは異なる第２の供給ラインｌ２を有する第２の供給ライン１３０）を用いることは、そのような構成が単純且つ相対的に低コストであり、空間的要件が最小限であるので、他の位相調整技術と比較して有益且つ／又は有利であり得る。
【００６１】
別の例として、位相シフタ１２６が、第１のアンテナ１０２及び第２のアンテナ１０４と無線アセンブリ１３４との間に連結された位相シフトモジュール１３２を含み得る。位相シフトモジュール１３２によって適切な位相シフトが達成され得る。例として、位相シフトモジュール１３２は、能動的位相シフタ、受動的位相シフタ、アナログ位相シフタ、デジタル位相シフタなどであり得る。位相シフトモジュール１３２は、図１に示すように、無線アセンブリ１３４と第１のアンテナ１０２及び第２のアンテナ１０４との間に連結された、アンテナシステム１００の別個の構成要素であり得るか、或いは、位相シフトモジュール１３２は無線アセンブリ１３４の一部であり得る。
【００６２】
このような構成により、アンテナシステム１００は、送信された例えばＶＨＦ−Ｈｉ帯（例えば、１１８−１７４ＭＨｚ）の第１の周波数帯１３６を、異なる２つのアンテナ（例えば、第１のアンテナ１０２及び第２のアンテナ１０４）間で分波し、且つ／又は逆に（ｒｅｃｉｐｒｏｃａｌｌｙ）異なる２つのアンテナから受信された電力を組み合わせて全方向カバレッジを提供することにより、シャドウイングを克服することが可能となり得る。例えば、ＶＨＦ−Ｌｏｗ帯では、構造物１０８の幅Ｗが電気的に小さい（例えば、アンテナシステム１００の用途、及び／又は構造物１０８の全体的な形状、及び／又は構造物１０８の材料上の構成に依存して経験的に決定されて波長よりも短い（ｓｕｂ−ｗａｖｅｌｅｎｇｔｈｓ））ものとなり、例えば第１の端部１１０（例えば前縁）における１つのアンテナ（例えば、第１のアンテナ１０２）が、全方向カバレッジに十分であり得る。一例として、幅Ｗの幅が波長の１０分の１よりも小さい場合に幅Ｗは電気的に小さいとみなされ得る。
【００６３】
図１を参照すると、一例として、第１のアンテナ１０２及び第２のアンテナ１０４はそれぞれ、第１の周波数帯１３６内で動作するように構成され得る。従って、第１のアンテナ１０２及び第２のアンテナ１０４は双方とも、シングルバンド放射を提供し得る。更に、第１のアンテナ１０２及び第２のアンテナ１０４のうち少なくとも一方は、第２の周波数帯１３８内で動作するように構成され得る。第１の周波数帯１３６と第２の周波数帯１３８とは異り得る。従って、第１のアンテナ１０２及び第２のアンテナ１０４のうち少なくとも一方がシングルバンド放射を提供し得、第１のアンテナ１０２及び第２のアンテナ１０４のうち少なくとも一方がマルチバンド放射を提供し得る。
【００６４】
本明細書で使用する「のうち少なくとも１つ／一方」の語は、単一の要素の任意の組み合わせか、又は複数の要素の任意の組み合わせを意味する。１つの一般的な例として、「要素Ｘ、要素Ｙ、及び要素Ｚのうち少なくとも１つ」は、要素Ｘのみ、要素Ｙのみ、要素Ｚのみ、要素ＸとＹとの組み合わせ、要素ＸとＺとの組み合わせ、要素ＹとＺとの組み合わせ、又は、要素ＸとＹとＺとの組み合わせを含み得る。別の一般的な例として、「Ｘ及びＹのうち少なくとも一方」は、要素Ｘのみ、要素Ｙのみ、又は要素ＸとＹとの組み合わせを含み得る。１つの具体的な例として、「第１のアンテナ及び第２のアンテナのうち少なくとも一方」は、第１のアンテナのみ、第２のアンテナのみ、又は第１のアンテナと第２のアンテナとの両方を含み得る。
【００６５】
図１では、第１のアンテナ１０２が第１の周波数帯１３６及び第２の周波数帯１３８内で動作する（例えばマルチバンド放射を提供する）ように構成されており、第２のアンテナ１０４が、第１の周波数帯１３６内で動作する（例えばシングルバンド放射を提供する）ように構成されているが、この構成が逆であってもよいことを当業者は認識するであろう。
【００６６】
別の例として（図示せず）、第１のアンテナ１０２及び第２のアンテナ１０４はそれぞれ、第１の周波数帯１３６内で動作するように構成され得る。更に、第１のアンテナ１０２及び第２のアンテナ１０４のうち少なくとも一方は、第２の周波数帯１３８内で動作するように構成され得る。第１のアンテナ１０２及び第２のアンテナ１０４のうち少なくとも一方は更に、少なくとも１つの（例えば一又は複数の）更なる（例えば第３、第４など）の周波数帯（図示せず）内で動作するように構成され得る。第１の周波数帯１３６、第２の周波数帯１３８、及び少なくとも１つの更なる周波数帯はそれぞれ異なり得る。従って、一例として、第１のアンテナ１０２及び第２のアンテナ１０４のうちの一方がシングルバンド放射を提供し、第１のアンテナ１０２及び第２のアンテナ１０４のうちの一方がマルチバンド放射を提供し得る。別の例として、第１のアンテナ１０２及び第２のアンテナ１０４がそれぞれマルチバンド放射を提供してもよい。
【００６７】
図３−６、及び図１を参照すると、一例として、第１のアンテナ１０２は複数の第１のアンテナ要素１４０を含み得、第２のアンテナ１０４は複数の第２のアンテナ要素１４２を含み得る。非限定的な一例として、第１のアンテナ要素１４０の各々及び／又は第２のアンテナ要素１４２の各々は、ステークモノポールアンテナを含み得る。一般的且つ非限定的な例として、第１のアンテナ要素１４０の各々及び／又は第２のアンテナ要素１４２の各々は、導電性（例えば、金属）材料の平面状ストリップを含み得る。１つの具体的且つ非限定的な例として、第１のアンテナ要素１４０の各々及び／又は第２のアンテナ要素１４２の各々は、導電性箔の平坦なストリップを含み得る。１つの具体的且つ非限定的な例として、第１のアンテナ要素１４０の各々及び／又は第２のアンテナ要素１４２の各々は、高導電性箔の平坦なストリップを含み得る。１つの具体的且つ非限定的な例として、第１のアンテナ要素１４０の各々及び／又は第２のアンテナ要素１４２の各々は、銅箔の平坦なストリップを含み得る。別の具体的且つ非限定的な例として、第１のアンテナ要素１４０の各々及び／又は第２のアンテナ要素１４２の各々は、ポリイミドフィルムなどの基板上のエッチングされた銅であり得る。別の具体的且つ非限定的な例として、第１のアンテナ要素１４０の各々及び／又は第２のアンテナ要素１４２の各々は、導電性塗料又はインクの層を含み得る。別の具体的且つ非限定的な例として、第１のアンテナ要素１４０の各々及び／又は第２のアンテナ要素１４２の各々は、十分な空間が利用可能である場合にはダイポールアンテナを含み得る。本明細書に記載の何れの実施例においても、第１のアンテナ要素１４０の各々及び／又は第２のアンテナ要素１４２の各々は、特定の用途に応じた形状であり得る。
【００６８】
第１のアンテナ要素１４０のうち少なくとも２つはそれぞれ第１の長さＬ１を有し得、第１の周波数帯１３６内で動作するように構成され得る（図２）。第２のアンテナ要素１４２のうち少なくとも２つはそれぞれ第１の長さＬ１を有し得、第１の周波数帯１３６内で動作するように構成され得る。第１のアンテナ要素１４０及び第２のアンテナ要素１４２のうち少なくとも一方は、第２の長さＬ２を含み得、第２の周波数帯１３８内で動作するように構成され得る（図１）。オプションとして、少なくとも１つの追加の第１のアンテナ要素１４０及び第２のアンテナ要素１４２は、追加の長さを含み得、追加の周波数帯内で動作するように構成され得る。
【００６９】
一般的且つ非限定的な例として、図３に示すように、第１のアンテナ要素１４０の第１のアンテナ１４０ａ、及び第１のアンテナ要素１４０の第２のアンテナ１４０ｂは、第１の長さＬ１を含み得、第１の周波数帯１３６内で動作するように構成され得る。第２のアンテナ要素１４２の第１のアンテナ１４２ａ、及び第２のアンテナ要素１４２の第２のアンテナ１４２ｂは、第１の長さＬ１を含み得、第１の周波数帯１３６内で動作するように構成され得る。第１のアンテナ要素１４０の第３のアンテナ１４０ｃは第２の長さＬ２を含み得、第２の周波数帯１３８内で動作するように構成され得る。１つの具体的且つ非限定的な例として、第１のアンテナ要素１４０の第１のアンテナ１４０ａ及び第２のアンテナ１４０ｂと、第２のアンテナ要素１４２の第１のアンテナ１４２ａ及び第２のアンテナ１４２ｂとの第１の長さＬ１が、７５ＭＨｚにおける波長の約４分の１（１／４）であり得る。第１のアンテナ要素１４０の第３のアンテナ１４０ｃの第２の長さＬ２は、２００ＭＨｚにおける波長の約４分の１（１／４）であり得る。
【００７０】
従って、第１のアンテナ要素１４０の第１のアンテナ１４０ａ及び第２のアンテナ１４０ｂは、第１のアンテナ１０２の（例えば第１の周波数帯１３６における）シングルバンド放射を提供し得る。第２のアンテナ要素１４２の第１のアンテナ１４２ａ及び第２のアンテナ１４２ｂは、第２のアンテナ１０４の（例えば第１の周波数帯１３６における）シングルバンド放射を提供し得る。第１のアンテナ要素１４０の第３のアンテナ１４０ｃは、第１のアンテナ１０２の（例えば第２の周波数帯１３８における）別のシングルバンド放射を提供し得る。第１のアンテナ要素１４０の第１のアンテナ１４０ａ、第２のアンテナ１４０ｂ、及び第３のアンテナ１４０ｃの組み合わせは、第１のアンテナ１０２の（例えば第１の周波数帯１３６及び第２の周波数帯１３８における）マルチバンド放射を提供し得る。
【００７１】
図３は、第１の周波数帯１３６及び第２の周波数帯１３８内で動作する（例えばマルチバンド放射を提供する）ように構成された、３つの第１のアンテナ要素１４０を含む第１のアンテナ１０２と、第１の周波数帯１３６内で動作する（例えばシングルバンド放射を提供する）ように構成された２つの第２のアンテナ要素１４２を含む第２のアンテナ１０４とを図示しているが、他の構成が意図されてもよく、例えばこの実施例の構成が逆であってもよい。
【００７２】
別の具体的且つ非限定的な例として、図４に示すように、第１のアンテナ要素１４０の第１のアンテナ１４０ａ及び第１のアンテナ要素１４０の第２のアンテナ１４０ｂは、第１の長さＬ１を含み得、第１の周波数帯１３６内で動作するように構成され得る。第２のアンテナ要素１４２の第１のアンテナ１４２ａ、及び第２のアンテナ要素１４２の第２のアンテナ１４２ｂは、第１の長さＬ１を含み得、第１の周波数帯１３６内で動作するように構成され得る。第１のアンテナ要素１４０の第３のアンテナ１４０ｃは第２の長さＬ２を含み得、第２の周波数帯１３８内で動作するように構成され得る。第２のアンテナ要素１４２の第３のアンテナ１４２ｃは、第２の長さＬ２を含み得、第２の周波数帯１３８内で動作するように構成され得る。
【００７３】
従って、第１のアンテナ要素１４０の第１のアンテナ１４０ａ及び第２のアンテナ１４０ｂは、第１のアンテナ１０２の（例えば第１の周波数帯１３６における）シングルバンド放射を提供し得る。第２のアンテナ要素１４２の第１のアンテナ１４２ａ及び第２のアンテナ１４２ｂは、第２のアンテナ１０４の（例えば第１の周波数帯１３６における）シングルバンド放射を提供し得る。第１のアンテナ要素１４０の第３のアンテナ１４０ｃは、第１のアンテナ１０２の（例えば第２の周波数帯１３８における）別のシングルバンド放射を提供し得る。第２のアンテナ要素１４２の第３のアンテナ１４２ｃは、第２のアンテナ１０４の（例えば第２の周波数帯１３８における）別のシングルバンド放射を提供し得る。第１のアンテナ要素１４０の第１のアンテナ１４０ａ、第２のアンテナ１４０ｂ、及び第３のアンテナ１４０ｃの組み合わせは、第１のアンテナ１０２の（例えば第１の周波数帯１３６及び第２の周波数帯１３８における）マルチバンド放射を提供し得る。第２のアンテナ要素１４２の第１のアンテナ１４２ａ、第２のアンテナ１４２ｂ、及び第３のアンテナ１４２ｃの組み合わせは、第２のアンテナ１０４の（例えば第１の周波数帯１３６及び第２の周波数帯１３８における）マルチバンド放射を提供し得る。
【００７４】
別の具体的且つ非限定的な例として、図５に示すように、第１のアンテナ要素１４０の第１のアンテナ１４０ａ及び第１のアンテナ要素１４０の第２のアンテナ１４０ｂは、第１の長さＬ１を含み得、第１の周波数帯１３６内で動作するように構成され得る。第２のアンテナ要素１４２の第１のアンテナ１４２ａ、及び第２のアンテナ要素１４２の第２のアンテナ１４２ｂは、第１の長さＬ１を含み得、第１の周波数帯１３６内で動作するように構成され得る。第１のアンテナ要素１４０の第３のアンテナ１４０ｃは第２の長さＬ２を含み得、第２の周波数帯１３８内で動作するように構成され得る。第２のアンテナ要素１４２の第３のアンテナ１４２ｃは、第３の長さＬ３を含み得、第３の周波数帯１４８内で動作するように構成され得る。
【００７５】
従って、第１のアンテナ要素１４０の第１のアンテナ１４０ａ及び第２のアンテナ１４０ｂは、第１のアンテナ１０２の（例えば第１の周波数帯１３６における）シングルバンド放射を提供し得る。第２のアンテナ要素１４２の第１のアンテナ１４２ａ及び第２のアンテナ１４２ｂは、第２のアンテナ１０４の（例えば第１の周波数帯１３６における）シングルバンド放射を提供し得る。第１のアンテナ要素１４０の第３のアンテナ１４０ｃは、第１のアンテナ１０２の（例えば第２の周波数帯１３８における）別のシングルバンド放射を提供し得る。第２のアンテナ要素１４２の第３のアンテナ１４２ｃは、第２のアンテナ１０４の（例えば第３の周波数帯１４８における）別のシングルバンド放射を提供し得る。第１のアンテナ要素１４０の第１のアンテナ１４０ａ、第２のアンテナ１４０ｂ、及び第３のアンテナ１４０ｃの組み合わせは、第１のアンテナ１０２の（例えば第１の周波数帯１３６及び第２の周波数帯１３８における）マルチバンド放射を提供し得る。第２のアンテナ要素１４２の第１のアンテナ１４２ａ、第２のアンテナ１４２ｂ、及び第３のアンテナ１４２ｃの組み合わせは、第２のアンテナ１０４の（例えば第１の周波数帯１３６及び第３の周波数帯１４８における）マルチバンド放射を提供し得る。
【００７６】
別の具体的且つ非限定的な例として、図６に示すように、第１のアンテナ要素１４０の第１のアンテナ１４０ａ及び第１のアンテナ要素１４０の第２のアンテナ１４０ｂは、第１の長さＬ１を含み得、第１の周波数帯１３６内で動作するように構成され得る。第２のアンテナ要素１４２の第１のアンテナ１４２ａ、及び第２のアンテナ要素１４２の第２のアンテナ１４２ｂは第１の長さＬ２を含み得、第２の周波数帯１３８内で動作するように構成され得る。第１のアンテナ要素１４０の第３のアンテナ１４０ｃは第２の長さＬ２を含み得、第２の周波数帯１３８内で動作するように構成され得る。
【００７７】
従って、第１のアンテナ要素１４０の第１のアンテナ１４０ａ及び第２のアンテナ１４０ｂは、第１のアンテナ１０２の（例えば第１の周波数帯１３６における）シングルバンド放射を提供し得る。第２のアンテナ要素１４２の第１のアンテナ１４２ａ及び第２のアンテナ１４２ｂは、第２のアンテナ１０４の（例えば第２の周波数帯１３８における）シングルバンド放射を提供し得る。第１のアンテナ要素１４０の第３のアンテナ１４０ｃは、第１のアンテナ１０２の（例えば第２の周波数帯１３８における）別のシングルバンド放射を提供し得る。第１のアンテナ要素１４０の第１のアンテナ１４０ａ、第２のアンテナ１４０ｂ、及び第３のアンテナ１４０ｃの組み合わせは、第１のアンテナ１０２の（例えば第１の周波数帯１３６及び第２の周波数帯１３８における）マルチバンド放射を提供し得る。
【００７８】
第１の長さＬ１は第１の周波数帯１３６によって決定され得、第２の長さＬ２は第２の周波数帯１３８によって決定され得、第３の長さＬ３は第３の周波数帯１４８によって決定され得る等となる。一般的に、アンテナ（例えば、第１のアンテナ１０２及び／又は第２のアンテナ１０４）の長さは、アンテナの動作周波数の波長の４分の１（１／４）であり得る。一例として、第１の長さＬ１は、例えば、第１の、第１の周波数帯１３６の動作周波数の波長の４分の１（１／４）であり得、第２の長さＬ２は、例えば、第２の、第２の周波数帯１３８の動作周波数の波長の４分の１（１／４）であり得、第３の長さは、例えば、第３の、第３の周波数帯１４８の動作周波数の波長の４分の１（１／４）であり得る等となる。第１の長さＬ１、第２の長さＬ２、第３の長さＬ３などは異なり得、従って、第１の周波数帯１３６、第２の周波数帯１３８、第３の周波数帯１４８などが異なり得る。
【００７９】
第１のアンテナ１０２の第１のアンテナ要素１４０は、第１のアンテナアレイ１４４に整列され得る。第２のアンテナ１０４の第２のアンテナ要素１４２は、第２のアンテナアレイ１４６に整列され得る。本明細書で使用する「整列」との語は、一般的に、要素が実質的に直線状に配置されていることを意味する。本明細書で使用する「実質的に」との語は、一般的に、製造上の許容誤差の範囲内にあることを意味する。
【００８０】
一例として、第１のアンテナ１０２の第１のアンテナ要素１４０は実質的に直線状に配置され（例えば、積層され）得、第２のアンテナ１０４の第２のアンテナ要素１４２が実質的に直線状に配置され（例えば、積層され）得る。最大の（例えば最長の）長さを有する第１のアンテナ要素１４０及び／又は第２のアンテナ要素１４２は、（図３に示すように第１の長さＬ１を有する、例えば、第１のアンテナ要素１４０の第１のアンテナ１４０ａ及び第２のアンテナ１４０ｂ、並びに／又は、第２のアンテナ要素１４２の第１のアンテナ１４２ａ及び第２のアンテナ１４２ｂ）は、内側アンテナ要素であり得る。より小さい（例えばより短い）長さを有する第１のアンテナ要素１４０及び／又は第２のアンテナ要素１４２は、（例えば、図３に示すように、第２の長さＬ２を有する第１のアンテナ要素１４０の第３のアンテナ１４０ｃ）は、外側アンテナ要素であり得る。
【００８１】
本明細書で使用する、「内側（ｉｎｎｅｒ）」は一般的に、アンテナが連結される構造物（例えば、構造物１０８）の最近傍に配置又は位置決めされたアンテナ要素（一又は複数）をさす。本明細書で使用する、「外側（ｏｕｔｅｒ）」は一般的に、内側要素（一又は複数）から外方向へ、アンテナが連結される構造物からより離れて配置又は位置決めされたアンテナ要素（一又は複数）をさす。
【００８２】
一例として、図３に最もよく示すように、第１の長さＬ１を有する、第１のアンテナ要素１４０の第１のアンテナ１４０ａ及び第２のアンテナ１４０ｂは、第１のアンテナ１０２の（例えば第１のアンテナアレイ１４４の）内側アンテナ要素であり得、第２の長さＬ２を有する、第１のアンテナ要素１４０の第３のアンテナ１４０ｃが、第１のアンテナ１０の（例えば第１のアンテナアレイ１４４の）外側アンテナ要素であり得る。第１の長さＬ１を有する、第２のアンテナ要素１４２の第１のアンテナ１４２ａ及び第２のアンテナ１４２ｂは、第２のアンテナ１０４の（例えば第２のアンテナアレイ１４６の）内側アンテナ要素であり得る。
【００８３】
別の例として、図４に最もよく示すように、第１の長さＬ１を有する、第１のアンテナ要素１４０の第１のアンテナ１４０ａ及び第２のアンテナ１４０ｂは、第１のアンテナ１０２の（例えば第１のアンテナアレイ１４４の）内側アンテナ要素であり得、第２の長さＬ２を有する、第１のアンテナ要素１４０の第３のアンテナ１４０ｃは、第１のアンテナ１０２の（例えば第１のアンテナアレイ１４４の）外側アンテナ要素であり得る。第１の長さＬ１を有する、第２のアンテナ要素１４２の第１のアンテナ１４２ａ及び第２のアンテナ１４２ｂは、第２のアンテナ１０４の（例えば、第２のアンテナアレイ１４６の）内側アンテナ要素であり得、第２の長さＬ２を有する、第２のアンテナ要素１４２の第３のアンテナ１４２ｃは、第２のアンテナ１０４の（例えば、第２のアンテナアレイ１４６の）外側アンテナ要素であり得る。
【００８４】
別の例として、図５に最もよく示すように、第１の長さＬ１を有する、第１のアンテナ要素１４０の第１のアンテナ１４０ａ及び第２のアンテナ１４０ｂは、第１のアンテナ１０２の（例えば第１のアンテナアレイ１４４の）内側アンテナ要素であり得、第２の長さＬ２を有する、第１のアンテナ要素１４０の第３のアンテナ１４０ｃは、第１のアンテナ１０２の（例えば第１のアンテナアレイ１４４の）外側アンテナ要素であり得る。第１の長さＬ１を有する、第２のアンテナ要素１４２の第１のアンテナ１４２ａ及び第２のアンテナ１４２ｂは、第２のアンテナ１０４の（例えば、第２のアンテナアレイ１４６の）内側アンテナ要素であり得、第２の長さＬ３を有する、第２のアンテナ要素１４２の第３のアンテナ１４２ｃは、第２のアンテナ１０４の（例えば、第２のアンテナアレイ１４６の）外側アンテナ要素であり得る。
【００８５】
別の例として、図６に示すように、第１の長さＬ１を有する、第１のアンテナ要素１４０の第１のアンテナ１４０ａ及び第２のアンテナ１４０ｂは、第１のアンテナ１０２（例えば、第１のアンテナアレイ１４４）の内側アンテナ要素であり得、第２の長さＬ２を有する、第１のアンテナ要素１４０の第３のアンテナ１４０ｃは、第１のアンテナ１０２（例えば、第１のアンテナアレイ１４４）の外側アンテナ要素であり得る。第２の長さＬ２を有する、第２のアンテナ要素１４２の第１のアンテナ１４２ａ及び第２のアンテナ１４２ｂは、第２のアンテナ１０４（例えば、第２のアンテナアレイ１４６）の内側アンテナ要素であり得る。
【００８６】
各アンテナアレイ（例えば、第１のアンテナアレイ１４４及び／又は第２のアンテナアレイ１４６）の最も内側のアンテナ要素は、最大（例えば、最長の）長さを含み得、そのアレイの最も低い動作周波数帯内で動作するように構成され得る。各アンテナアレイの最も内側のアンテナ要素は典型的に、アンテナが適切に機能することを確実にする（例えば、地面とのショートを防止する）ため、同じ長さの２つのアンテナ要素を含み得る。各アンテナアレイの最も外側のアンテナ要素は、最小（例えば、最短の）長さを含み得、最も高い周波数帯内で動作するように構成され得る。各アンテナアレイの最も内側のアンテナ要素と最も外側のアンテナ要素との間に配置された任意の追加のアンテナ要素は、中間の動作周波数帯内で動作するように構成された中間の長さを有し得る。一例として、後続する外側アンテナ要素の各々は、直前の内側アンテナ要素よりも短い長さを含み得、異なる動作周波数（例えば、追加の周波数帯）を提供し得る。
【００８７】
図３の例は、２つの動作周波数を提供するように構成された３つのアンテナ要素１４０を有する第１のアンテナアレイ１４４を含む第１のアンテナ１０２と、１つの動作周波数を提供するように構成された２つのアンテナ要素１４２を有する第２のアンテナアレイ１４６を含む第２のアンテナ１０４とを示しているが、図４−６に示すように、第１のアンテナアレイ１４４及び／又は第２のアンテナアレイ１４６のうちの一方又は両方が、追加の動作周波数を提供するように構成された追加のアンテナ要素を含んでもよい。
【００８８】
一例として、第１のアンテナアレイ１４４は、第１の長さＬ１を有し且つ第１の周波数帯１３６内で動作するように構成された、第１のアンテナ要素１４０の第１のアンテナ１４０ａ及び第２のアンテナ１４０ｂと、第１の長さＬ１とは異なる（例えば、これを下回る）第２の長さＬ２を有し且つ第１の周波数帯１３６とは異なる（例えば、これを上回る）第２の周波数帯１３８内で動作するように構成された、第１のアンテナ要素１４０の第３のアンテナ１４０ｃと、第１の長さＬ１及び第２の長さＬ２とは異なる（例えば、これらを下回る）第３の長さを有し且つ第１の周波数帯１３６及び第２の周波数帯１３８とは異なる（例えば、これらを上回る）第３の周波数帯内で動作するように構成された、第１のアンテナ要素１４０の第４のアンテナ（図示せず）と、第１の長さＬ１、第２の長さＬ２、及び第３の長さとは異なる（例えば、これらを下回る）第４の長さを有し且つ第１の周波数帯１３６、第２の周波数帯１３８、及び第３の周波数帯とは異なる（例えば、これらを上回る）第４の周波数帯内で動作するように構成された、第１のアンテナ要素１４０の第５のアンテナ（図示せず）と、を含み得る等である。
【００８９】
一例として、第２のアンテナアレイ１４６は、第１の長さＬ１を有し且つ第１の周波数帯１３６内で動作するように構成された、第２のアンテナ要素１４２の第１のアンテナ１４２ａ及び第２のアンテナ１４２ｂと、第１の長さＬ１と異なる（例えばこれを下回る）第２の長さＬ２を有し且つ第１の周波数帯１３６とは異なる（例えばこれを上回る）第２の周波数帯１３８内で動作するように構成された、第２のアンテナ要素１４２の第３のアンテナ１４２ｃと、第１の長さＬ１及び第２の長さＬ２とは異なる（例えばこれらを下回る）第３の長さＬ３を有し且つ第１の周波数帯１３６及び第２の周波数帯１３８とは異なる（例えばこれらを上回る）第３の周波数帯１４８内で動作するように構成された、第４のアンテナ（図示せず）と、第１の長さＬ１、第２の長さＬ２、及び第３の長さＬ３とは異なる（例えばこれらを下回る）第４の長さを有し且つ第１の周波数帯１３６、第２の周波数帯１３８、及び第３の周波数帯１４８とは異なる（例えばこれらを上回る）第４の周波数帯内で動作するように構成された、第２のアンテナ要素１４２の第５のアンテナ（図示せず）と、を含み得る等である。
【００９０】
同じ長さを有する対向する第１のアンテナ要素１４０及び第２のアンテナ要素１４２が、全方向放射パターンを提供してもよい。
【００９１】
アンテナ（例えば、第１のアンテナ１０２及び／又は第２のアンテナ１０４）の放射パターン（例えば、第１の放射パターン１１４及び／又は第２の放射パターン１１６）に対する、構造物（例えば構造物１０８）のシャドウイング効果、例えば構造物によって発生するヌル（例えば、第１のヌル１１８及び／又は第２のヌル１２０）は、厚み及び／又は構造物の構造上の形状（例えば構造物１０８の厚みＴ）に対して、より低い周波数帯（例えば、より長い波長）でより少ない。従って、構造物の厚みに対して、十分に低い周波数帯で動作しているアンテナ（例えばアンテナ要素）は、対応する対向しているアンテナ（例えば同じ長さの対向するアンテナ要素）を必要とせずに、全方向カバレッジを提供し得る。従って、且ついかなる特定の理論にも限定しないが、構造物１０８の厚みＴが、１つのアンテナの特定のアンテナ要素の動作周波数の波長の約１０分の１（１／１０）を下回る場合、全方向放射パターンを提供するのに当該１つのアンテナのみが要求され得る。
【００９２】
一例として、図３に示すように、第１のアンテナ１０２の第１のアンテナ要素１４０の第１のアンテナ１４０ａ及び第２のアンテナ１４０ｂは、第１の周波数帯１３６で電磁放射１０６を放射し得る。第２のアンテナ１０４の第２のアンテナ要素１４２の第１のアンテナ１４２ａ及び第２のアンテナ１４２ｂは、第１の周波数帯１３６で電磁放射１０６放射し得る。第１の周波数帯１３６は、例えば、構造物１０８の厚みＴに対して十分に高く、全方向放射パターン（例えば、第１の周波数帯１３６の全方向カバレッジ）を提供するのに第１のアンテナ１０２及び第２のアンテナ１０４の双方が要求され得る。第１のアンテナ要素１４０の第３のアンテナ１４０ｃは、第２の周波数帯１３８で電磁放射１０６を放射し得る。第２の周波数帯１３８は例えば、構造物１０８の厚みＴに対して十分に低く、全方向放射パターン（例えば、第２の周波数帯１３８の全方向カバレッジ）を提供するのに第１のアンテナ１０２のみが要求され得る。
【００９３】
別の例として、図４に示すように、第１のアンテナ１４０の第１のアンテナ要素１０２の第１のアンテナ１４０ａ及び第２のアンテナ１４０ｂは、第１の周波数帯１３６で電磁放射１０６を放射し得る。第２のアンテナ１０４の第２のアンテナ要素１４２の第１のアンテナ１４２ａ及び第２のアンテナ１４２ｂは、第１の周波数帯１３６で電磁放射１０６放射し得る。第１の周波数帯１３６は、例えば構造物１０８の厚みＴに対して十分に高く、全方向放射パターン（例えば、第１の周波数帯１３６の全方向カバレッジ）を提供するのに第１のアンテナ１０２及び第２のアンテナ１０４の双方が要求され得る、第１のアンテナ要素１４０の第３のアンテナ１４０ｃは、第２の周波数帯１３８で電磁放射１０６を放射し得る。第２の周波数帯１３８は、例えば構造物１０８の厚みＴに対して十分に高く、第１のアンテナ要素１４０の第３のアンテナ１４０ｃの第１の放射パターン１１４（図２）において、構造物１０８が第１のヌル１１８を発生させ得る。従って、全方向放射パターン（例えば、第２の周波数帯１３８の全方向カバレッジ）を提供するのに、第２の長さＬ２（例えば第１のアンテナ要素１４０の第３のアンテナ１４２ｃと同じ長さ）を有する第２のアンテナ要素１４２の第３のアンテナ１４２ｃが要求され得る。
【００９４】
別の例として、図５に示すように、第１のアンテナ１０２の第１のアンテナ要素１４０の第１のアンテナ１４０ａ及び第２のアンテナ１４０ｂは、第１の周波数帯１３６で電磁放射１０６を放射し得る。第２のアンテナ１０４の第２のアンテナ要素１４２の第１のアンテナ１４２ａ及び第２のアンテナ１４２ｂは、第１の周波数帯１３６で電磁放射１０６放射し得る。第１の周波数帯１３６は、例えば構造物１０８の厚みＴに対して十分に高く、全方向放射パターン（例えば、第１の周波数帯１３６の全方向カバレッジ）を提供するのに第１のアンテナ１０２及び第２のアンテナ１０４の双方が要求され得る、第１のアンテナ要素１４０の第３のアンテナ１４０ｃは、第２の周波数帯１３８で電磁放射１０６を放射し得る。第２の周波数帯１３８は例えば、構造物１０８の厚みＴに対して十分に低く、全方向放射パターン（例えば、第２の周波数帯１３８の全方向カバレッジ）を提供するのに第１のアンテナ１０２のみが要求され得る。第２のアンテナ要素１４２の第３のアンテナ１４２ｃは、第３の周波数帯１４８で電磁放射１０６を放射し得る。第３の周波数帯１４８は、例えば、構造物１０８の厚みＴに対して十分に低く、全方向放射パターン（例えば、第３の周波数帯１４８の全方向カバレッジ）を提供するのに第２のアンテナ１０４のみが要求され得る。
【００９５】
別の例として、図６に示すように、第１のアンテナ１０２の第１のアンテナ要素１４０の第１のアンテナ１４０ａ及び第２のアンテナ１４０ｂは、第１の周波数帯１３６で電磁放射１０６を放射し得る。第１の周波数帯１３６は、例えば、構造物１０８の厚みＴに対して十分に低く、全方向放射パターン（例えば、第１の周波数帯１３６の全方向カバレッジ）を提供するのに第１のアンテナ１０２のみが要求され得る。第２のアンテナ１０４の第２のアンテナ要素１４２の第１のアンテナ１４２ａ及び第２のアンテナ１４２ｂは、第２の周波数帯１３８で電磁放射１０６を放射し得る。第２の周波数帯１３８は、例えば、構造物１０８の厚みＴに対して十分に高く、第２のアンテナ要素１４２の第１のアンテナ１４２ａ及び第２のアンテナ１４２ｂの第２の放射パターン１１６（図２）において、構造物１０８が第２のヌル１２０を発生させ得る。従って、第２の長さＬ２（例えば、第２のアンテナ要素１４２の第１のアンテナ１４２ａ及び第２のアンテナ１４２ｂと同じ長さ）を有する第１のアンテナ要素１４０の第３のアンテナ１４０ｃが、全方向放射パターン（例えば、第２の周波数帯１３８の全方向カバレッジ）を提供するのに要求され得る。
【００９６】
図３−６で示した実施例は、第１のアンテナ１０２が、第１の周波数帯１３６及び第２の周波数帯１３８のうちの一又は複数で電磁放射１０６を放射し、第２のアンテナ１０４が、第１の周波数帯１３６、第２の周波数帯１３８、及び第３の周波数帯１４８のうちの一又は複数で電磁放射１０６を放射していることを示しているが、他の構成が意図されてもよい。一例として、第１のアンテナ１０２が第１の周波数帯１３６、第２の周波数帯１３８、及び第３の周波数帯１４８で電磁放射１０６を放射し得、第２のアンテナ１０４が第１の周波数帯１３６で電磁放射１０６を放射してもよい。別の例として、第１のアンテナ１０２が第１の周波数帯１３６で電磁放射１０６を放射し得、第２のアンテナ１０４が第１の周波数帯１３６、第２の周波数帯１３８、及び第３の周波数帯１４８で電磁放射１０６を放射してもよい。別の例として、第１のアンテナ１０２が第１の周波数帯１３６及び第２の周波数帯１３８で電磁放射１０６を放射し得、第２のアンテナ１０４が第１の周波数帯１３６、第２の周波数帯１３８、及び第３の周波数帯１４８で電磁放射１０６を放射してもよい。
【００９７】
図３及び４を参照すると、１つの具体的且つ非限定的な例として、第１のアンテナ要素１４０の第３のアンテナ１４０ｃは、約１０メートル〜１メートル、より詳細には２メートルの波長を有する約３ＭＨｚ〜４００ＭＨｚ（例えば超短波（「ＶＨＦ」））の第２の周波数帯１３８内で動作するように構成され得る（例えば所定の長さｌ２を含み得る）。構造物１０８の厚みＴが、第２の周波数帯１３８の波長又は約２０センチメートル（約８インチ）の１０分の１未満である場合、図３に示すように、第１のアンテナ１０２の第１のアンテナ要素１４０の第３のアンテナ１４０ｃは第２の周波数帯１３８の全方向カバレッジを提供し得る。構造物１０８の厚みＴが、第２の周波数帯１３８の波長又は約２０センチメートル（約８インチ）の１０分の１よりも大きい場合、図４に示すように、第２の周波数帯１３８の全方向カバレッジを提供するのに、第１のアンテナ１０２の第１のアンテナ要素１４０の第３のアンテナ１４０ｃと、第２のアンテナ１０４の第２のアンテナ要素１４２の第３のアンテナ１４２ｃとが要求され得る。
【００９８】
図３−６を参照すると、第１のアンテナ要素１４０（例えば第１のアンテナアレイ１４４）は、構造物１０８によって、第２のアンテナ要素１４２（例えば、第２のアンテナアレイ１４６）から物理的に分離され得る。第１のアンテナ要素１４０の各々は、第１のアンテナ要素１４０のうち別のアンテナから物理的に分離され得る。一例として、第１のアンテナアレイ１４４の第１のアンテナ要素１４０の各々は、第１のアンテナアレイ１４４のすぐ隣の第１のアンテナ要素１４０から物理的に分離され得る。第２のアンテナ要素１４２の各々は、第２のアンテナ要素１４２のうちの別のアンテナから物理的に分離され得る。一例として、第２のアンテナアレイ１４６の第２のアンテナ要素１４２の各々は、第２のアンテナアレイ１４６のすぐ隣の第２のアンテナ要素１４２から物理的に分離され得る。
【００９９】
一般的に、第１のアンテナ１０２の性能は、隣り合う第１のアンテナ要素１４０の離間距離に依存しない。同様に、第２のアンテナ１０４の性能は、隣り合う第２のアンテナ要素１４２の離間距離に依存しない。一般的に、隣り合う第１のアンテナ要素１４０間の離間距離（例えば、最小の離間距離）、及び、隣り合う第２のアンテナ要素１４２間の最小の離間距離は、例えば、第１のアンテナ１０２（又は第１のアンテナ要素１４０）と第２のアンテナ１０４（又は第２のアンテナ要素１４２）とのそれぞれの動作周波数によって決定され得る。一例として、隣り合う第１のアンテナ要素１４０間の最小の離間距離、及び、隣り合う第２のアンテナ要素１４２間の最小の離間距離は、より低い周波数においてより少なく、より高い周波数においてより高いことがあり得る。１つの具体的且つ非限定的な例として、隣り合う第１のアンテナ要素１４０間の最小の離間距離、及び／又は隣り合う第２のアンテナ要素１４２間の最小の離間距離は、約０．０１インチ（０．２５ミリメートル）〜約０．１インチ（例えば、２．５４ミリメートル）であり得る。
【０１００】
更に図３−６を参照すると、一例として、第１のアンテナ要素１４０の各々が、第１のアンテナ要素１４０のうちの別のアンテナから誘電性材料１５０によって物理的に分離され得る。同様に、第２のアンテナ要素１４２の各々が、第２のアンテナ要素１４２のうちの別のアンテナから誘電性材料１５０によって物理的に分離され得る。一般的且つ非限定的な例として、誘電性材料１５０は、低い誘電率を有する任意の誘電性材料（低誘電性材料とも称する）であり得る。一例として、低誘電率は、約６未満の誘電率を含み得る。別の例として、低誘電率は、約３未満の誘電率低誘電率を含み得る。別の例として、低誘電率は、約２未満の誘電率低誘電率を含み得る。別の例として、低誘電率が、約１の誘電率を含み得る。１つの具体的且つ非限定的な例として、誘電性材料１５０が乾燥空気を含み得る。別の具体的且つ非限定的な例として、誘電性材料１５０が、誘電性の織物を含み得る。別の具体的且つ非限定的な例として、誘電性材料１５０が、接着剤、例えばプラスチック接着剤を含み得る。別の具体的且つ非限定的な例として、誘電性材料１５０が、ガラス繊維、例えばガラス繊維シートを含み得る。別の例として、誘電性材料１５０が、石英、例えば石英のシートを含み得る。別の例として、誘電性材料１５０が、複合材、例えばガラス繊維強化ポリマー（「ＧＦＲＰ」）を含み得る。別の具体的且つ非限定的な例として、誘電性材料１５０が、プラスチック、例えばポリエチレン、ポリ塩化ビニルなどを含み得る。
【０１０１】
第１のアンテナ要素１４０の各々が、ある幅（明示的に図示せず）を含み得る。第２のアンテナ要素１４２の各々が、ある幅（明示的に図示せず）を含み得る。特定のアンテナ要素（例えば、第１のアンテナ要素１４０の各々及び／又は第２のアンテナ要素１４２の各々）の幅は変化し得る。
【０１０２】
一般的に、且ついかなる特定の理論にも限定しないが、特定のアンテナ要素の幅は、関連付けられたアンテナの帯域幅制御を提供し得る。従って、所望の帯域幅を達成するために幅が変化され得る。一例として、第１のアンテナ要素１４０のうちの任意の１つの幅が、第１のアンテナ１０２の（又は第１のアンテナ要素１４０のうちの特定の１つの）帯域幅制御をもたらし得る。別の例として、第２のアンテナ要素１４２のうちの任意の１つの幅が、第２のアンテナ１０４の（又は第２のアンテナ要素１４２のうちの特定の１つの）帯域幅制御をもたらし得る。更に、且ついかなる特定の理論にも限定しないが、例えば特定のアンテナ要素の幅が増大することにより、関連付けられたアンテナの効率が向上し得る。
【０１０３】
一般的且つ非限定的な例として、より大きな長さを有し且つより低い周波数帯内で動作するように構成されている（例えば、より長い波長を有する）第１のアンテナ要素１４０のうちの１つ及び／又は第２のアンテナ要素１４２のうちの１つは、より小さな長さを有し且つより高い周波数帯内で動作するように構成されている（例えば、より短い波長を有する）第１のアンテナ要素１４０のうちの別の１つ及び／又は第２のアンテナ要素１４２のうちの別の１つよりも、大きい幅を含み得る。１つの具体的且つ非限定的な例として、図３に最もよく示すように、第１のアンテナ要素１４０の第１のアンテナ１４０ａ及び第２のアンテナ１４０ｂは、第１のアンテナ要素１４０の第３のアンテナ１４０ｃよりも大きい幅を有し得る。
【０１０４】
図１を参照すると、無線アセンブリ１３４は、第１のアンテナ１０２及び第２のアンテナ１０４に下り信号１５４を送信し得る。無線アセンブリ１３４は、第１のアンテナ１０２及び第２のアンテナ１０４から上り信号１５６を受信し得る。下り信号１５４及び上り信号１５６は、第１のアンテナ１０２及び第２のアンテナ１０４の間で供給ライン１５８を通じて運ばれる無線信号であり得る。供給ライン１５８は、一又は複数の信号導体を含み得る。第１の長さｌ１を有する第１の供給ライン１２８と、長さｌ２を有する第２の供給ライン１３０とが位相シフタ１２６として使用されている場合、第１の供給ライン１２８及び第２の供給ライン１３０は、供給ライン１５８の一部（例えば、供給ライン１５８のうちのある長さ）であり得ることを、当業者は認識するであろう。
【０１０５】
アンテナシステム１００は信号ルータ１５２を含み得る。信号ルータ１５２は、第１のアンテナ１０２及び第２のアンテナ１０４と無線アセンブリ１３４との間に、例えば供給ライン１５８を介して連結され得る。信号ルータ１５２は、無線アセンブリ１３４からの下り信号１５４を、第１のアンテナ１０２及び／又は第２のアンテナ１０４に適切に分配（ｄｉｓｔｒｉｂｕｔｅ）（例えば、分割）し得る。信号ルータ１５２は、第１のアンテナ１０２及び／又は第２のアンテナ１０４からの上り信号１５６を、無線アセンブリ１３４に適切に分配（例えば、合成）し得る。  
【０１０６】
一例として、下り信号１５４のうち一又は複数が、異なる周波数を含み得る。一例として、無線アセンブリ１３４は、下り信号１５４のうちの１つを第１の周波数帯１３６で、且つ下り信号１５４のうちの別の１つを第２の周波数帯１３８で送信し得る。信号ルータ１５２は、下り信号１５４のうちの当該１つを、第１の周波数帯１３６の第１の部分と第２の部分とに分割し得る。下り信号１５４のうちの当該１つの、第１の周波数帯１３６の第１の部分が、第２のアンテナ１０４に送信され得る。信号ルータ１５２は、下り信号１５４のうちの当該１つの、第１の周波数帯１３６の第２の部分と、下り信号１５４のうちの第２の周波数帯１３８の当該別の１つとを合成し、第１のアンテナ１０２に送信し得る。
【０１０７】
別の例として、一又は複数の上り信号１５６が異なる周波数を含み得る。一例として、上り信号１５６のうちの第１の周波数帯１３６の１つと、上り信号１５６のうちの第２の周波数帯１３８の別の１つとが、第１のアンテナ１０２から受信され得る。上り信号１５６のうちの第１の周波数帯１３６の別の１つが、第２のアンテナ１０４から受信され得る。信号ルータ１５２は、上り信号１５６のうちの第１の周波数帯１３６の当該１つと上り信号１５６のうちの第２の周波数帯１３８の別の１つとを分割し得る。信号ルータ１５２は、上り信号１５６のうちの第１の周波数帯１３６の当該１つと上り信号１５６のうちの第１の周波数帯１３６の別の１つとを、無線アセンブリ１３４によって受信されるように合成し得る。上り信号１５６のうちの第２の周波数帯１３８の当該別の１つは、無線アセンブリ１３４によって受信され得る。
【０１０８】
例えば、アンテナシステム１００の特定の用途、第１のアンテナ１０２及び／又は第２のアンテナ１０４の異なる動作周波数の数（例えば、第１の周波数帯１３６、第２の周波数帯１３８、第３の周波数帯１４８など）等に応じて、追加の下り信号１５４及び／又は上り信号１５６も意図される。従って、信号ルータ１５２は、無線アセンブリ１３４からの下り信号１５４を第１のアンテナ１０２及び／又は第２のアンテナ１０４へ適切に分配し、且つ／又は、第１のアンテナ１０２から及び／又は第２のアンテナ１０４の上り信号１５６を無線アセンブリ１３４へ適切に分配するように構成されている。
【０１０９】
信号ルータ１５２は、下り信号１５４及び／又は上り信号１５６を適切に分配するように構成された様々な構成要素を含み得る。一例として、図７に示すように、信号ルータ１５２は、分波器１７６、多重化器１８２、合波器１８４、及び／又は多重分離器１８６を含み得る。当業者は、信号ルータ１５２の構成は、例えばアンテナシステム１００の特定の用途に依存し得ることを認識するであろう。
【０１１０】
図７、及び図１を参照すると、一例として、無線アセンブリ１３４は、第１の無線機１６０及び第２の無線機１６２を含み得る。第１の無線機１６０及び第２の無線機１６２は、異なる周波数で（例えば、異なる周波数帯内で）動作し得るように構成されている。一例として、第１の無線機１６０は第１の周波数帯１３６内で動作するように構成され得（図１）、第２の無線機１６２は第２の周波数帯１３８内で動作するように構成され得る（図１）。
【０１１１】
一般的且つ非限定的な例として、第１の無線機１６０及び／又は第２の無線機１６２（並びに第１のアンテナ１０２及び／又は第２のアンテナ１０４）は、約３ＭＨｚ〜約１００ＧＨｚの動作周波数（例えば、周波数帯）を含み得る。別の一般的且つ非限定的な例として、第１の無線機１６０及び／又は第２の無線機１６２（並びに第１のアンテナ１０２及び／又は第２のアンテナ１０４）は、約３０ＭＨｚ〜約４００ＭＨｚの動作周波数を含み得る。別の一般的且つ非限定的な例として、第１の無線機１６０及び／又は第２の無線機１６２（並びに第１のアンテナ１０２及び／又は第２のアンテナ１０４）は、約３０ＭＨｚ〜約１７４ＭＨｚの動作周波数を含み得る。別の一般的且つ非限定的な例として、第１の無線機１６０及び／又は第２の無線機１６２（並びに第１のアンテナ１０２及び／又は第２のアンテナ１０４）は、約２２５ＭＨｚ〜約４００ＭＨｚの動作周波数を含み得る。１つの具体的且つ非限定的な例として、第１の無線機１６０は、例えば約１１８ＭＨｚ〜約１７４ＭＨｚの動作周波数を含むＶＨＦ−Ｈｉ無線であり得る。１つの具体的且つ非限定的な例として、第２の無線機１６２は、例えば約３０ＭＨｚ〜約８８ＭＨｚの動作周波数を含むＶＨＦ−Ｌｏｗ無線であり得る。
【０１１２】
更に図７、及び図１を参照すると、第１の無線機１６０は、第１の無線送信機１６４及び第１の無線受信機１６６を含み得る。第２の無線機１６２は、第２の無線送信機１６８及び第２の無線受信機１７０を含み得る。第１の無線送信機１６４は、第１の下り信号１７２を送信し得る。第２の無線送信機１６８は、第２の下り信号１７４を送信し得る。第１の下り信号１７２及び第２の下り信号１７４は、異なる動作周波数を有し得る。一例として、第１の下り信号１７２は第１の周波数帯１３６（図１）にあり、第２の下り信号１７４は第２の周波数帯１３８（図１）にあり得る。
【０１１３】
第１の下り信号１７２は、第１の無線送信機１６４から分波器１７６に向けられ得る（例えば、分波器１７６が第１の無線送信機１６４から第１の下り信号１７２を受信し得る）。分波器１７６は第１の下り信号１７２を、第１の周波数帯１３６（図１）の第３の下り信号１７８と、第１の周波数帯１３６の第４の下り信号１８０とに分割し得る。一般的且つ非限定的な例として、分波器１７６は、信号が２つの回路で使用され得る（例えば、１つの無線（例えば、第１の無線機１６０）が２つのアンテナ（例えば、第１のアンテナ１０２及び第２のアンテナ１０４）にフィードすることを可能にする）ように、規定量の電磁力を分割するように構成された任意の装置であってよい。１つの具体的且つ非限定的な例として、分波器１７６は、５０Ｗ定格のＶＨＦ分波器であり得る。
【０１１４】
一又は複数の追加の無線機（例えば、追加の無線送信機）（図示せず）が、第１のアンテナ１０２及び第２のアンテナ１０４に追加の下り信号（図示せず）をフィードする場合、一又は複数の追加の分波器（図示せず）がアンテナシステム１００と共に用いられてもよい。使用される分波器の数及びその構成は、例えば、アンテナシステム１００の特定の用途、第１のアンテナ１０２及び／又は第２のアンテナ１０４の動作周波数の数（例えば、第１の周波数帯１３６、第２の周波数帯１３８、第３の周波数帯１４８など）（図１）などに依存し得る。
【０１１５】
更に図７、及び図１を参照すると、第３の下り信号１７８は、分波器１７６から第２のアンテナ１０４に向けられ得る（例えば、第２のアンテナ１０４が分波器１７６から第３の下り信号１７８を受信し得る）。第４の下り信号１８０は、分波器１７６から多重化器１８２に向けられ得る（例えば、多重化器１８２が分波器１７６から第４の下り信号１８０を受信し得る）。第２の下り信号１７４は第２の無線送信機１６８から多重化器１８２に向けられ得る（例えば、多重化器１８２が第２の無線送信機１６８から第２の下り信号１７４を受信し得る）。
【０１１６】
多重化器１８２は、第２の下り信号１７４及び第４の下り信号１８０を受信し得る。多重化器１８２は、第２の下り信号１７４と第４の下り信号１８０とを第５の下り信号１８８へと合成し得る。第５の下り信号１８８は、第１の周波数帯１３６及び第２の周波数帯１３８（図１）にあり得る。例えば、第５の下り信号１８８は、第２の周波数帯１３８の第２の下り信号１７４と第１の周波数帯１３６の第４の下り信号１８０との組み合わせであり得る。一般的且つ非限定的な例として、多重化器１８２は、異なる周波数の２つ以上の信号を相互干渉なしに１つの信号へと合成し、例えば、２つ以上の無線機（例えば、第１の無線機１６０と第２の無線機１６２）が１つのアンテナ（例えば、第１のアンテナ１０２）にフィードすることを可能にするように構成された任意の装置であってよい。一例として、図７に示すように、多重化器１８２は、第１の無線機１６０（例えば第１の無線送信機１６４）及と第２の無線機１６２（例えば第２の無線送信機１６８）とが第１のアンテナ１０２にフィードすることを可能にするように構成されたダイプレクサであり得る。別の例として（図示せず）、多重化器１８２は、例えば第１の無線機１６０、第２の無線機１６２、及び、第３の周波数帯で下り信号を送信するように構成された第３の無線機（図示せず）を、第１のアンテナ１０２にフィードすることを可能にするように構成されたトリプレクサであり得る。多重化器１８２のタイプ及び／又は多重化器１８２の数は、例えば、無線アセンブリ１３４の無線機の数、及び／又はフィードアンテナ（例えば、第１のアンテナ１０２又は第２のアンテナ１０４）の動作周波数の数に依存し得ることを、当業者は認識するであろう。
【０１１７】
更に図７、及び図１を参照すると、第１の上り信号１９０が第１のアンテナ１０２から取得され得る。第２の上り信号１９２は第２のアンテナ１０４から取得され得る。第１の上り信号１９０及び第２の上り信号１９２は異なる動作周波数を有し得る。一例として、第１の上り信号１９０は第１の周波数帯１３６（図１）及び第２の周波数帯１３８（図１）にあり、第２の上り信号１９２は第１の周波数帯１３６にあり得る。一例として、第１の上り信号１９０は、第１のアンテナ１０２によって受信された第１の周波数帯１３６の無線信号と、第１のアンテナ１０２によって受信された第２の周波数帯１３８の無線信号との組み合わせであり得る。第２の上り信号１９２は、第２のアンテナ１０４によって受信された第１の周波数帯１３６にある無線信号であり得る。
【０１１８】
第１の上り信号１９０は、第１のアンテナ１０２から多重分離器１８６に向けられ得る（例えば、多重分離器１８６が第１のアンテナ１０２から第１の上り信号１９０を受信し得る）。多重分離器１８６は第１の上り信号１９０を、第１の周波数帯１３６（図１）の第３の上り信号１９４と第２の周波数帯１３８（図１）の第４の上り信号１９６とに分割し得る。一般的且つ非限定的な例として、多重分離器１８６は、例えば、１つのアンテナ（例えば、第１のアンテナ１０２）が２つ以上の無線（例えば、第１の無線機１６０及び第２の無線機１６２）にフィードすることを可能にするために、異なる周波数を有する１つの信号を、異なる周波数をそれぞれ有する２つ以上の信号へと分割するように構成された任意の装置であってよい。一例として、図７に示すように、多重分離器１８６は、第１のアンテナ１０２が、第１の無線機１６０（例えば、第１の無線受信機１６６）と第２の無線機１６２（例えば、第２の無線受信機１７０）とにフィードすることを可能にするように構成されている。別の例として（図示せず）、多重分離器１８６は、第１のアンテナ１０２が、第１の無線機１６０、第２の無線機１６２、及び、例えば、第３の周波数帯で下り信号を受信するように構成された第３の無線（図示せず）にフィードすることを可能にするように構成されている。多重分離器１８６のタイプ及び／又は多重分離器１８６の数は、例えば、無線アセンブリ１３４の無線の数、及び／又はフィードアンテナ（例えば、第１のアンテナ１０２又は第２のアンテナ１０４）の動作周波数の数に依存し得ることを、当業者は認識するであろう。
【０１１９】
多重化器１８２及び多重分離器１８６は、互いに相補的であり得る。一例として、多重化器１８２が信号の送信側にあり、多重分離器１８６が信号の受信側にあり得る。多重化器１８２と多重分離器１８６とが、信号ルータ１５２の単一のユニット又は構成要素となるよう組み合わされていてもよい。
【０１２０】
更に図７、及び図１を参照すると、第２の上り信号１９２は第２のアンテナ１０４から合波器１８４に向けられ得る（例えば、合波器１８４が第２のアンテナ１０４から第２の上り信号１９２を受信し得る）。第３の上り信号１９４は多重分離器１８６から合波器１８４に向けられ得る（例えば、合波器１８４が多重分離器１８６から第３の上り信号１９４を受信し得る）。合波器１８４は、第２の上り信号１９２と第３の上り信号１９４とを、第１の周波数帯１３６（図１）の第５の上り信号１９８へと合成し得る。一般的且つ非限定的な例として、合波器１８４は、２つの回路からの信号を可能にし、例えば２つのアンテナ（例えば、第１のアンテナ１０２及び第２のアンテナ１０４）が１つの無線（例えば、第１の無線機１６０）にフィードすることを可能にするよう、電磁力を組み合わせるように構成された任意の装置であってよい。
【０１２１】
分波器１７６及び合波器１８４は互いに相補的であり得る。一例として、分波器１７６が信号の送信側にあり、合波器１８４が信号の受信側にあり得る。分波器１７６と合波器１８４とが、信号ルータ１５２の単一のユニット又は構成要素となるよう組み合わされていてもよい。
【０１２２】
第４の上り信号１９６は、多重分離器１８６から第２の無線受信機１７０に向けられ得る（例えば、第２の無線受信機１７０が多重分離器１８６から第４の上り信号１９６を受信し得る）。第５の上り信号１９８は、合波器１８４から第１の無線受信機１６６に向けられ得る（例えば、第１の無線受信機１６６が合波器１８４から第５の上り信号１９８を受信し得る）。
【０１２３】
図７を参照すると、アンテナシステム１００は増幅器２００を含み得る。増幅器２００は、第２の無線受信機１７０と多重分離器１８６との間に連結され得る。増幅器２００は、第２の無線送信機１６８と多重化器１８２との間に連結されてもよい。増幅器２００は、第２の下り信号１７４及び／又は第４の上り信号１９６の利得を増大させ得る。追加の増幅器（図示せず）が用いられてもよい。
【０１２４】
図７、及び図１を参照すると、図７に明示的に示してはいないが、アンテナシステム１００の様々な構成要素（例えば、第１の無線機１６０、第２の無線機１６２、分波器１７６、合波器１８４、多重化器１８２、多重分離器１８６、第１のアンテナ１０２、第２のアンテナ１０４、及び／又は増幅器２００）は、供給ライン１５８（図１）を介して互いに連結され得る。任意の信号（例えば、第１の下り信号１７２、第２の下り信号１７４、第３の下り信号１７８、第４の下り信号１８０、第５の下り信号１８８、第１の上り信号１９０、第２の上り信号１９２、第３の上り信号１９４、第４の上り信号１９６、及び／又は第５の上り信号１９８）が供給ライン１５８を通じて供給され得る。一例として、第１の供給ライン１２８（図１）は、供給ライン１５８のうち、第１の無線機１６０と第２の無線機１６２とを第１のアンテナ１０２に連結している部分であり得る。一例として、第２の供給ライン１３０（図１）は、供給ライン１５８のうち、第１の無線機１６０を第２のアンテナ１０４に連結している部分であり得る。第１の供給ライン１２８が位相シフタ１２６（図１）として使用される場合、第１の長さｌ１（図１）を規定している第１の供給ライン１２８の部分は、第１の無線機１６０及び第２の無線機１６２から第１のアンテナ１０２までの第１の供給ライン１２８の全長であり得るか、又は、例えば、信号ルータ１５２から第１のアンテナ１０２までの全長の一部であり得る。第２の供給ライン１３０が位相シフタ１２６（図１）として使用される場合、第２の長さｌ２（図１）を規定している第２の供給ライン１３０の部分は、第２の無線機１６２から第２のアンテナ１０４までの第２の供給ライン１３０の全長であり得るか、又は、例えば、信号ルータ１５２から第２のアンテナ１０４までの全長の一部であり得る。
【０１２５】
図７に示す信号ルータ１５２の例は、別の例示的な実施例が実装され得る方式に対して物理的又は構造的な限定を示唆することを意図していない。図示した特徴に加えて又は代えて、他の特徴を使用できる。幾つかの例示的な実施例では、一部の特徴は不要となり得る。また、ブロック図は、幾つかの機能的な特徴を示すために提示されている。種々の例示的な実施例において実行される時、これらのブロックのうちの一又は複数は、異なるブロックと組み合わされ、且つ／又は異なるブロックに分割され得る。一例として、分波器１７６及び／又は合波器１８４が、無線アセンブリ１３４と多重化器１８２及び／又は多重分離器１８６との間に配置され得る。別の例として、分波器１７６及び／又は合波器１８４が、多重化器１８２及び／又は多重分離器１８６と第１のアンテナ１０２及び／又は第２のアンテナ１０４との間に配置され得る。他の構成もまた意図されている。
【０１２６】
いかなる特定の理論にも限定しないが、伝送線上の反射は、電圧定在波比（ＶＳＷＲ）に関して特定され得るということが理解されよう。ＶＳＷＲは、伝送線上の定常波の最大値と最小値との比である。ＶＳＷＲを向上させるために、最長の前方アンテナ要素（例えば、第１のアンテナ要素の第１のアンテナ１４０ａ）の先端（例えば、第１の端部２５８又は第２の端部２６０（図１５））に沿ったパラメトリックに決定された位置と、構造物１０８（図１）との接触をなすカバーフレーム（図示せず）との間に、抵抗要素（図示せず）が付加され得る。アンテナの放射抵抗を増大させることによってＶＳＷＲを低下させる。抵抗要素は、無線アセンブリ１３４（例えば、第１の無線機１６０又は第２の無線機１６２）（図７）によって送達される電力の定格（ｒａｔｅｄ  ｆｏｒ）であり得る。
【０１２７】
オプションとして、インピーダンス整合を更に向上させ、且つ、第１のアンテナ１０２及び／又は第２のアンテナ１０４によって最大の電力が実際に受容されることを確実にするよう、アンテナシステム１００内でトランス（図示せず）を使用してもよい。
【０１２８】
図８及び図１を参照すると、一例として、構造物１０８は移動体２０２（図１）の構成要素又は要素であり得る。一実施例として、図８に示すように、移動体２０２は航空宇宙移動体２０４であり得る。別の例として（図示せず）、移動体２０２は陸上移動体であり得る。更に別の例として（図示せず）、移動体２０２が海洋移動体であり得る。構造物１０８はまた、電磁放射１０６（図１）の送信及び／又は受信にアンテナシステム１００（図１）を使用する任意の他の固定構造物、アセンブリなどであってもよい。非限定的な例として、構造物１０８は、塔（例えば無線塔）、ポール（例えばアンテナポール）、建物などを含み得る。
【０１２９】
一般的且つ非限定的な例として、図８に示すように、航空宇宙移動体２０４は回転翼航空機（例えば、ヘリコプター又は回転翼無人航空移動体）であり得、構造物１０８は、回転翼航空機の構造上の構成要素であり得る。別の一般的且つ非限定的な例として（図示せず）、航空宇宙移動体２０４は固定翼航空機（例えば、飛行機又は固定翼無人航空移動体）であり得、構造物１０８は、固定翼航空機の構造上の構成要素であり得る。別の一般的且つ非限定的な例として（図示せず）、航空宇宙移動体２０４がミサイルであってもよい。
【０１３０】
一般的且つ非限定的な例として、構造物１０８が移動体２０２（例えば、航空宇宙移動体２０４）の一次構造であり得る。本明細書で使用する「一次構造」という語は、一般的に、移動体２０２が移動中（例えば、航空宇宙移動体２０４の飛行中）に遭遇する負荷（例えば、荷重、応力、及び／又は力）を担持するのに不可欠な任意の構造物をさす。別の一般的且つ非限定的な例として、構造物１０８は移動体２０２（例えば、航空宇宙移動体２０４）の二次構造であってもよい。本明細書で使用する「二次構造」なる語は、一般的に、移動体２０２が移動中に遭遇する負荷を一次構造が担持することを援助する任意の構造物をさす。
【０１３１】
更に図８、及び図１を参照すると、１つの具体的且つ非限定的な例として、構造物１０８は航空宇宙移動体２０４の水平翼２０６であり得る。別の具体的且つ非限定的な例として、構造物１０８が航空宇宙移動体２０４の水平安定板２０８であってもよい。別の具体的且つ非限定的な例として、構造物１０８が航空宇宙移動体２０４の垂直安定板２１０であってもよい。別の具体的且つ非限定的な例として、構造物１０８が航空宇宙移動体２０４の尾部支材２１２であってもよい。別の具体的且つ非限定的な例として、構造物１０８が航空宇宙移動体２０４の胴体２１４であってもよい。別の具体的且つ非限定的な例として、構造物１０８が航空宇宙移動体２０４の尾翼部２１６であってもよい。別の具体的且つ非限定的な例として、構造物１０８が航空宇宙移動体２０４の、例えば、航空宇宙移動体２０４の水平翼２０６、垂直安定板２１０、水平安定板２１０、尾部支材２１２、又は尾翼部２１６のフェアリング２１８であり得る。別の具体的且つ非限定的な例として、構造物１０８が航空宇宙移動体２０４のドア２２０であってもよい。別の具体的且つ非限定的な例として、構造物１０８が航空宇宙移動体２０４の任意の他の尾部（明示的に図示せず）であってもよい。更に別の具体的且つ非限定的な例として、構造物１０８が、選択的に取り外し可能な航空宇宙移動体２０４のカバー（明示的に図示せず）であってもよい。
【０１３２】
図１、及び図８を参照すると、本明細書で、且つ本明細書の任意の実施例で記載するように、第１のアンテナ１０２（図１）は構造物１０８の第１の端部１１０（図１）に配置され得、第２のアンテナ１０４（図１）が構造物１０８の第２の端部１１２（図１）に配置され得る。航空宇宙移動体２０４（図８）の実施例を特に参照すると、第１の端部１１０は構造物１０８の前縁又は前方端部（例えば、水平翼２０６、垂直安定板２１０、水平安定板２１０、尾翼部２１６、又はドア２２０）であり得、第２の端部１１２は構造物１０８の後縁又は後縁（例えば、水平翼２０６、垂直安定板２１０、水平安定板２１０、尾翼部２１６、又はドア２２０）であり得る。本明細書で使用する語「前（ｌｅａｄｉｎｇ）」「前方（ｆｏｒｗａｒｄ）」「尾部（ｔｒａｉｌｉｎｇ）」及び「後部（ａｆｔ）」は、航空宇宙移動体２０４の移動方向に対して定義されている。或いは、第１の端部１１０が構造物１０８のスターボード側（例えば、尾部支材２１２、又は胴体２１４）であり得、第２の端部１１２が構造物１０８のポート側（例えば、尾部支材２１２、又は胴体２１４）であり得る。
【０１３３】
図９を参照すると、１つの具体的且つ非限定的な例として、構造物１０８が、航空宇宙移動体２０４の尾翼部２１６の垂直安定板２１０であり得る（図８）。第１のアンテナ１０２は、垂直安定板２１０の前方端部２２２に連結され得る。第２のアンテナ１０４は、垂直安定板２１０の後縁２２４に連結され得る。第１のアンテナ１０２及び第２のアンテナ１０４は、垂直安定板２１０によって物理的に分離され得る。一例として、第１のアンテナ１０２は前方端部２２２において垂直安定板２１０に外付けされ得、第２のアンテナ１０４は後縁２２４において垂直安定板２１０に外付けされ得る。第１のアンテナ１０２は、第１のアンテナ１０２を保護するよう垂直安定板２１０に設置されたレードーム（図示せず）によって覆われていてよい。第２のアンテナ１０４は、第２のアンテナ１０２を保護するよう垂直安定板２１０に設置された別のレードーム（図示せず）によって覆われていてよい。別の例として、第１のアンテナ１０２が、前方端部２２２の（例えば、近傍）近位で垂直安定板２１０内に設置されていてもよく、第２のアンテナ１０４が、後方端部２２４の近位で垂直安定板２１０内に設置されていてもよい。垂直安定板２１０の前方端部２２２における一部分は、第１のアンテナ１０２を保護するレードームとして作用し得る。垂直安定板２１０の後方端部２２４における一部分は、第２のアンテナ１０４を保護する別のレードームとして作用し得る。更に別の例として、第１のアンテナ１０２は、垂直安定板２１０の外板としても知られる外部パネル内に内蔵され（例えば、埋め込まれるか或いは一体化され）ていてもよく、第２のアンテナ１０４が垂直安定板２１０の外部パネルに内蔵されていてもよい。
【０１３４】
図１０を参照すると、別の具体的且つ非限定的な例として、構造物１０８は垂直安定板２１０であり得る。第１のアンテナ１０２は、第１の（例えば、前方）フェアリング２２６に連結され得る。第２のアンテナ１０４は、第２の（例えば、後方）フェアリング２２８に連結され得る。第１のフェアリング２２６及び第２のフェアリング２２８は、フェアリング２１８（図８）の例であり得る。第１のフェアリング２２６は垂直安定板２１０の前方端部２２２に、例えば前縁に沿って連結され得る。第２のフェアリング２２８は垂直安定板２１０の後縁２２４に、例えば後方端部２２４に沿って連結され得る。第１のフェアリング２２６、ひいては第１のアンテナ１０２と、第２のフェアリング２２８、ひいては第２のアンテナ１０４とが、垂直安定板２１０によって物理的に分離され得る。一例として、第１のアンテナ１０２は第１のフェアリング２２６の内面に設置され得、第２のアンテナ１０４は第２のフェアリング２２８の内面に設置され得る。別の例として、第１のアンテナ１０２が第１のフェアリング２２６に内蔵され（例えば、埋め込まれるか或いは一体化され）得、第２のアンテナ１０４が第２のフェアリング２２８に内蔵され得る。第１のフェアリング２２６は、第１のアンテナ１０２を保護するレードームとして作用し得る。第２のフェアリング２２８は、第２のアンテナ１０４を保護する別のレードームとして作用し得る。
【０１３５】
図１０は、航空宇宙移動体２０４の尾翼部２１６の垂直安定板２１０に連結される第１のフェアリング２２６及び第２のフェアリング２２８の１つの例示的な実施例を示しているが、その他の例示的な実施例では、第１のフェアリング２２６及び第２のフェアリング２２８が、航空宇宙移動体２０４の他の構造物１０８（例えば、翼２０６、水平安定板２０８（図８）など）の前方端部及び後方端部のそれぞれに連結されてもよい。
【０１３６】
図１１−１３を参照すると、一例として、構造物１０８（例えば、垂直安定板２１０）は、第１のフェアリング支持体２３０及び第２のフェアリング支持体２３２を含み得る。第１のフェアリング支持体２３０は、第２のフェアリング支持体２３２に対向し得る。フェアリング２１８は第１のフェアリング支持体２３０と第２のフェアリング支持体２３２との間に位置決めされ得、且つ第１のフェアリング支持体２３０及び第２のフェアリング支持体２３２に連結され得る。図１１で明示的に図示していないが、フェアリング２１８は、アンテナ（例えば、第１のアンテナ１０２もしくは第２のアンテナ１０４（図１））、又はアンテナ要素（例えば、第１のアンテナ要素１４０もしくは第２のアンテナ要素１４２（図１））を含み得る。従って、図１１に示すように、フェアリング２１８は、第１のアンテナ１０２を含む第１のフェアリング２２６（図１０）、又は第２のアンテナ１０４を含む第２のフェアリング２２８（図１０）の一実施例であり得る。
【０１３７】
図１１は、構造物１０８の一端の一部が、２つのフェアリング支持体（例えば、第１のフェアリング支持体２３０及び第２のフェアリング支持体２３２）と１つのフェアリング（例えば、フェアリング２１８）とを含むことを示し、且つ、構造物１０８が、図示されている一端に対向する別の端部において、別の２つのフェアリング支持体と別の１つのフェアリングを含み得ることを示していることが理解されよう。
【０１３８】
図１２を参照すると、一例として、第１のフェアリング支持体２３０は第１のリブ２３４を含み得る。第１のリブ２３４は、構造物１０８（例えば、垂直安定板）の形状を規定している複数のリブのうちの１つであり得る。一例として、複数のリブは、構造物１０８を構造的に支持するために内部ストリンガ、スティフナ、スパーなどに連結され得る。第１のリブ２３４は複合材構造物であり得る。一例として、第１のリブ２３４は繊維強化ポリマー（「ＦＲＰ」）であり得る。別の例として、第１のリブ２３４がＧＦＲＰであってもよい。別の例として、第１のリブ２３４がＣＦＲＰであってもよい。第１のフェアリング支持体２３０（例えば、第１のリブ２３４）は、第１の設置面２３６を含み得る。第１の設置面２３６は、フェアリング２１８の第１の端部２３８（図１１）の形状に対応する形状を有し得る。フェアリング２１８の第１の端部２３８は、第１の設置面２３６内に取付けられ得るか或いは連結され得る。一例として、フェアリング２１８は、第１のフェアリング支持体２３０に接着接合され得る。一例として、フェアリング２１８の第１の端部２３８は、第１のリブ２３４の第１の設置面２３６に接着接合され得る。別の例として、フェアリング２１８が第１のフェアリング支持体２３０に機械的に接続されてもよい。第１のフェアリング支持体２３０は、アンテナ（例えば、第１のアンテナ１０２又は第２のアンテナ１０４）の電気接続を提供し得る。一例として、第１の設置面２３６は、ＴＮＣコネクタ（明示的に図示せず）を含み得る。
【０１３９】
図１３を参照すると、一例として、第２のフェアリング支持体２３２は第２のリブ２４０を含み得る。第２のリブ２４０は、構造物１０８の複数のリブのうちの別の１つであり得る。第２のリブ２４０は複合材構造物であり得る。一例として、第２のリブ２４０がＦＲＰであり得る。別の例として、第２のリブ２４０はＧＦＲＰであってもよい。別の例として、第２のリブ２４０はＣＦＲＰであってもよい。第２のフェアリング支持体２３２（例えば、第２のリブ２４０）は、第２の設置面２４２を含み得る。第２の設置面２４２は、フェアリング２１８の、第１の端部２３８に対向する第２の端部２４４（図１１）の形状に対応する形状を有し得る。フェアリング２１８の第２の端部２４４は、第２の設置面２４２内に取付けられ得、且つ連結され得る。一例として、フェアリング２１８は、第２のフェアリング支持体２３２に接着接合され得る。一例として、フェアリング２１８の第２の端部２４４は、第２のリブ２４０の第２の設置面２４２に接着接合され得る。別の例として、フェアリング２１８が第２のフェアリング支持体２３２に機械的に接続されてもよい。第２のフェアリング支持体２３２もまた、アンテナ（例えば、第１のアンテナ１０２又は第２のアンテナ１０４）の電気接続を提供し得る。一例として、第２の設置面２４２がＴＮＣコネクタ（明示的に図示せず）を含み得る。
【０１４０】
図１４を参照すると、一例として、構造物１０８は、第１のアンテナ構造物２４６と、第１のアンテナ構造物２４６に対向する第２のアンテナ構造物２４８とを含み得る。構造物１０８は、中間構造物２５０を含み得る。第１のアンテナ構造物２４６は、構造物１０８の第１の端部１１０において中間構造物２５０に連結され得る。第２のアンテナ構造物２４８は、構造物１０８の第２の端部において中間構造物２５０に連結され得る。中間構造物２５０は、第１のアンテナ構造物２４６と第２のアンテナ構造物２４８とを物理的に分離し得る。
【０１４１】
一例として、第１のアンテナ構造物２４６は、少なくとも一の第１の複合プライ２５２と第１のアンテナ１０２とを含み得る。第１のアンテナ１０２は、第１の複合プライ２５２に連結され得る。一例として、第２のアンテナ構造物２４８は、少なくとも一の第２の複合プライ２５４と第２のアンテナ１０４とを含み得る。第２のアンテナ１０４は第２の複合プライ２５４に連結され得る。
【０１４２】
別の例として、図１４に示すように、第１のアンテナ構造物２４６は複数の第１の複合プライ２５２と複数の第１のアンテナ要素１４０とを含み得る。第１の複合プライ２５２及び第１のアンテナ要素１４０は、積層されて第１のサンドイッチ構造（例えば、第１の積層板）を形成し得る。第２のアンテナ構造物２４８は、複数の第２の複合プライ２５４と複数の第２のアンテナ要素１４２とを含み得る。第２の複合プライ２５４及び第２のアンテナ要素１４２は積層されて、第２のサンドイッチ構造（例えば、第２の積層板）を形成し得る。
【０１４３】
第１のアンテナ構造物２４６は、第１のアンテナ要素１４０の数、動作周波数（例えば、第１の周波数帯１３６、第２の周波数帯１３８、第３の周波数帯１４８など）の数などに応じて、様々な構成を有し得る。同様に、第２のアンテナ構造物２４８は、例えば、第２のアンテナ要素１４２の数、動作周波数の数などに応じて様々な構成を有し得る。  
【０１４４】
一般的且つ非限定的な例として、第１のアンテナ構造物２４６及び／又は第２のアンテナ構造物２４８のサンドイッチ構造の構成は、複合プライ−アンテナ要素−複合プライ−アンテナ要素などを含み得る。一例として、最も内側の複合プライがサンドイッチ構造の内側モールドラインを画定し得、最も外側のアンテナ要素がサンドイッチ構造の外側モールドラインを画定し得る（例えば、サンドイッチ構造の構成がアンテナ要素で終端し得る）。そのような構成では、最も外側のアンテナ要素は保護層（例えば、電磁波透過性フィルム）によって保護され得る。別の例として、最も内側の複合プライがサンドイッチ構造の内側モールドラインを画定し得、最も外側の複合プライがサンドイッチ構造の外側モールドラインを画定してもよい（例えば、サンドイッチ構造の構成が複合プライで終端し得る）。従って、サンドイッチ構造の複合プライは各アンテナ要素を保護するレードームとして作用し得る。
【０１４５】
１つの具体的且つ非限定的な例として、図１４に示すように、第１の構成の（例えば、第１のサンドイッチ構造の）アンテナ構造物２４６は、第１の複合プライ２５２の第１のプライ２５２ａ−第１のアンテナ要素１４０の第１のアンテナ１４０ａ−第１の複合プライ２５２の第２のプライ２５２ｂ−第１のアンテナ要素１４０の第２のアンテナ１４０ｂ−第１の複合プライ２５２の第３のプライ２５２ｃ−第１のアンテナ要素１４０の第３のアンテナ１４０ｃ−第１の複合プライ２５２の第４のプライ２５２ｄを含み得る。第２の構成の（例えば、第２のサンドイッチ構造の）アンテナ構造物２４８は、第２の複合プライ２５４の第１のプライ２５４ａ−第２のアンテナ要素１４２の第１のアンテナ１４２ａ−第２の複合プライ２５４の第２のプライ２５４ｂ−第２のアンテナ要素１４２の第２のアンテナ１４２ｂ−第２の複合プライ２５４の第３のプライ２５４ｃを含み得る。上述のように、且つ図３を参照すると、第１のアンテナ構造物２４６のそのような構成は、第１のアンテナ１０２のマルチバンド（例えば、第１の周波数帯１３６及び第２の周波数帯１３８における）放射をもたらし得、第２のアンテナ構造物２４８のそのような構成は、第２のアンテナ１０４のシングルバンド（例えば、１の周波数帯１３６における）放射をもたらし得る。
【０１４６】
本明細書に記載の実施例によれば、例えば図３−６に示すように、第１のアンテナ構造物２４６のその他の構成（例えば、第１の複合プライ２５２の数及び第１のアンテナ要素１４０の数）、及び／又は第２のアンテナ構造物２４８（例えば、第２の複合プライ２５４の数及び第２のアンテナ要素１４２の数）も意図されており、例えば、シングルバンド放射及び／又はマルチバンド放射の異なる組み合わせが提供され得る。
【０１４７】
図１４、及び図３−６を参照すると、第１の複合プライ２５２及び／又は第２の複合プライ２５４は、誘電性材料１５０（図３−６）の例であり得る。一般的且つ非限定的な例として、第１の複合プライ２５２及び／又は第２の複合プライ２５４は繊維強化ポリマープライであり得る。一般的且つ非限定的な例として、第１の複合プライ２５２及び／又は第２の複合プライ２５４は、ポリマーマトリクス材料によって共接合された強化繊維材料のシート又はマットを含み得る。ポリマーマトリクス材料は、任意の適切な熱硬化性樹脂（例えば、エポキシ）又は熱可塑性樹脂を含み得る。繊維材料は、任意の適切な織物又は非織物（例えば、編物、組物、又はステッチ）の連続的な強化繊維又はフィラメントを含み得る。第１の複合プライ２５２の各々及び／又は第２の複合プライ２５４の各々が、同じ構成材料（例えば、強化繊維材料及び／又はポリマーマトリクス材料）を含んでいてもよく、異なる構成材料を含んでいてもよい。
【０１４８】
１つの具体的且つ非限定的な例として、第１の複合プライ２５２及び／又は第２の複合プライ２５４がＧＦＲＰプライであり得る。別の具体的且つ非限定的な例として、第１の複合プライ２５２及び／又は第２の複合プライ２５４は、ガラス繊維強化ポリマープライであり得る。別の具体的且つ非限定的な例として、第１の複合プライ２５２及び／又は第２の複合プライ２５４は、石英繊維強化ポリマープライであり得る。  
【０１４９】
一例として、第１の複合プライ２５２及び／又は第２の複合プライ２５４は、ドライレイアップとしても知られる、ポリマーマトリクス材料が予備含浸された強化繊維材料のシート（例えば、プリプレグ）を含み得る。別の例として、第１の複合プライ２５２及び／又は第２の複合プライ２５４は、ウェットレイアップとしても知られる、ポリマーマトリクス材料が塗布された強化繊維材料のシートを含み得る。
【０１５０】
第１のアンテナ要素１４０は、第１の複合プライ２５２間に埋め込まれ得る。第２のアンテナ要素１４２は、第２の複合プライ２５４間に埋め込まれ得る。一例として、第１の複合プライ２５２及び第１のアンテナ要素１４０（例えば、ステークモノポールアンテナ）は、例えばモールド（図示せず）内で順次レイアップされ共硬化されて第１のアンテナ構造物２４６を形成していてもよい。第１のアンテナ要素１４０の各々は、隣接する第１の複合プライ２５２のペア（例えば、第１のアンテナ要素１４０のうちの何れかの側の複合プライ２５２の各々）に、二次的に接合（例えば、接着接合）されてもよい。一例として、図１４に示すように、第１のアンテナ要素１４０の各々と第１の複合プライ２５２の各々との間に、フィルム接着剤２５６が塗布され得る。同様に、第２の複合プライ２５４及び第２のアンテナ要素１４２（例えば、ステークモノポールアンテナ）は、例えばモールド内で順次レイアップされ、共硬化されて第２のアンテナ構造物２４８を形成していてもよい。第２のアンテナ要素１４２の各々は、隣接する第２の複合プライ２５４のペア（例えば、第２のアンテナ要素１４２の何れかの側の第２の複合プライ２５４の各々）に、二次的に接合（例えば、接着接合）されてもよい。一例として、図１４に示すように、フィルム接着剤２５６が、第２のアンテナ要素１４２の各々と第２の複合プライ２５４の各々との間に塗布され得る。フィルム接着剤２５６は誘電性材料１５０（図３−６）の一例であり得る。
【０１５１】
別の例として、第１の複合プライ２５２が順次レイアップされて共硬化され得る。第１の複合プライ２５２の隣接するプライ間に、間隙又は空間（図示せず）が形成され得る。各間隙は、第１のアンテナ要素１４０のうち関連付けられたアンテナを受信するのに適切なサイズとされ得る。第１のアンテナ要素１４０の各々は、第１の複合プライ２５２の隣接するプライ間の間隙のうちの関連づけられた１つ内にフィットし得る。第１のアンテナ要素１４０の各々は、第１の複合プライ２５２の隣接するプライに（例えば、フィルム接着剤２５６を用いて）接着接合され得る。同様に、第２の複合プライ２５４が順次レイアップされて共硬化され得る。第２の複合プライ２５４の隣接するプライ間に、間隙又は空間（図示せず）が形成され得る。各間隙は、第２のアンテナ要素１４２のうち関連付けられたアンテナを受信するのに適切なサイズとされ得る。第２のアンテナ要素１４２の各々は、第２の複合プライ２５４の隣接するプライ間の間隙のうちの関連付けられた１つ内にフィットし得る。第２のアンテナ要素１４２の各々は、第２の複合プライ２５４の隣接するプライに（例えば、フィルム接着剤２５６を用いて）接着接合され得る。
【０１５２】
第１の複合プライ２５２及び／又は第２の複合プライ２５４の各々は、構造上の特性及び透過特性並びに／又は性質を有し得る。選択された強化繊維材料の構造上の特性及び透過特性とは、非限定的に、引張強度、導電性、及び／又は誘電率を含み得る。第１の複合プライ２５２及び／又は第２の複合プライ２５４の構造上の特性及び透過特性は、例えば、強化繊維材料及び／又はポリマーマトリクス材料の引張強度、電導性、及び／又は誘電率によって決定され得、第１の複合プライ２５２及び／又は第２の複合プライ２５４を第１のアンテナ構造物２４６及び第２のアンテナ構造物２４８のそれぞれとして使用する適切性を決定する際に考慮され得る。
【０１５３】
一例として、第１の複合プライ２５２の少なくとも一部分、例えば、第１のアンテナ要素１４０の直前部分及び／又は直後部分は、第１のアンテナ要素１４０から放射される電磁放射１０６（図１）に対して透明であり得る。同様に、第２の複合プライ２５４の少なくとも一部分、例えば、第２のアンテナ要素１４２の直前部分及び／又は直後部分は、第２のアンテナ要素１４２から放射される電磁放射１０６に対して透明であり得る。一般的且つ非限定的な例として、第１の複合プライ２５２及び／又は第２の複合プライ２５４は、第１のアンテナ１０２及び／又は第２のアンテナ１０４のそれぞれによって送信及び／又は受信された電磁放射１０６（例えば、電波）に干渉しないように構成され得る。１つの具体的且つ非限定的な例として、第１の複合プライ２５２及び／又は第２の複合プライ２５４は、約３ｋＨｚ〜約４００ＧＨｚの周波数を有する電磁放射１０６に対して透明であり得る。
【０１５４】
別の例として、第１の複合プライ２５２の少なくとも一部分、例えば、第１のアンテナ要素１４０の直前部分及び／又は直後部分は、第１のアンテナ要素１４０から放射される選択周波数（例えば、選択波長）における電磁放射１０６（図１）に対してのみ透明であり得る。同様に、第２の複合プライ２５４の少なくとも一部分、例えば、第２のアンテナ要素１４２の直前部分及び／又は直後部分は、第２のアンテナ要素１４２から放射される選択周波数（例えば、選択波長）における電磁放射１０６に対して透明であり得る。  
【０１５５】
第１のアンテナ構造物２４６及び／又は第２のアンテナ構造物２４８は、複合プライ（例えば、第１の複合プライ２５２及び／又は第２の複合プライ２５４）以外の追加の材料を含み得る。
【０１５６】
一例として、第１のアンテナ構造物２４６は、一又は複数の第１の複合プライ２５２と第１のアンテナ要素１４０との間に配置された一又は複数のコア層（図示せず）を含み得る。同様に、第２のアンテナ構造物２４８は、一又は複数の第２の複合プライ２５４と第２のアンテナ要素１４２との間に配置された一又は複数のコア層を含み得る。コア層は、誘電性材料１５０（図３）の別の例であり得る。コア層は第１のアンテナ構造物２４６及び／又は第２のアンテナ構造物２４８に、更なる構造上の剛性及び／又は弾道（ｂａｌｌｉｓｔｉｃ）性質をもたらし得る。一例として、各コア層はハニカム構造を含み得る。別の例として、各コア層が発泡材料（例えば、連続気泡発泡体、独立気泡発泡体、シンタクチック発泡体、発泡構造体など）を含み得る。
【０１５７】
複合プライ（例えば、第１の複合プライ２５２及び／又は第２の複合プライ２５４）と同様、コア層の少なくとも一部、例えば、第１のアンテナ要素１４０及び／又は第２のアンテナ要素１４２直前部分、及び／又は直後部分は、第１のアンテナ要素１４０及び／又は第２のアンテナ要素１４２のそれぞれから放射される電磁放射１０６（図１）に対して透明であり得る。
【０１５８】
別の例として、コア層の一又は複数が、ピン強化コア層を形成するための複数の強化ピン（図示せず）を含み得る。強化ピンは導電性であっても非導電性であってもよい。一例として、強化ピンは炭素から作製され得る。別の例として、強化ピンがガラスから作製されていてもよい。更に別の例として、強化ピンがガラス繊維から作製されていてもよい。一例として、強化ピンが石英から作製されていてもよい。強化ピンは、コア層の厚みを通じて部分的に又は完全に延在し得る。
【０１５９】
図１４、並びに図１０及び１１に示す例示的な実施例を参照すると、第１のフェアリング２２６（図１０）は、第１のアンテナ構造物２４６の一例であり得る。第２のフェアリング２２８（図１０）は、第２のアンテナ構造物２４８の一例であり得る。垂直安定板２１０は、中間構造物２５０の一例であり得る。
【０１６０】
図１５、並びに図１０及び１４を参照すると、一例として、第１のアンテナ構造物２４６及び／又は第２のアンテナ構造物２４８は、コンフォーマルアンテナを提供し得る。一例として、第１のアンテナ１０２及び／又は第２のアンテナ１０４がコンフォーマルアンテナであり得る。別の例として、第１のアンテナ要素１４０の各々及び／又は第２のアンテナ要素１４２の各々が、第１のアンテナ構造物２４６及び第２のアンテナ構造物２４８（例えば、第１の複合プライ２５２及び第２の複合プライ２５４）の形状にそれぞれ従い得る。一例として、第１のアンテナ構造物２４６が、構造物１０８（図１）の第１の端部１１０、例えば、垂直安定板２１０（図１０）の前縁の形状を規定し得る。第２のアンテナ構造物２４８は、構造物１０８の第２の端部１１２、例えば、垂直安定板２１０の後縁を規定し得る。
【０１６１】
図１６、及び図１５を参照すると、第１のアンテナ要素１４０（図１５）のうち少なくとも１つ、及び第２のアンテナ要素１４２（図１５）のうち少なくとも１つは、貫通孔２６２を含み得る。貫通孔２６２は、リード線２６４に接続をもたらし得る。一例として、リード線２６４は、第１のアンテナ要素１４０の各々と第２のアンテナ要素１４２のうち少なくとも１つとに溶接され得る。供給ライン１５８（例えば、第１の供給ライン１２８及び／又は第２の供給ライン１３０）（図１）は、例えば、ＴＮＣコネクタなどのＲＦコネクタによってリード線２６４に連結され得る。一例として、貫通孔２６２及びリード線２６４は、第１のアンテナ要素１４０の各々及び第２のアンテナ要素１４２の各々の第１の端部２５８（図１６）の近位（例えば、近傍）に位置し得る。一例として、貫通孔２６２及びリード線２６４は、第１のアンテナ要素１４０の各々及び第２のアンテナ要素１４２の各々の第２の端部２６０（図１６）の近位に位置し得る。供給ライン１５８と第１のアンテナ要素１４０及び／又は第２のアンテナ要素１４２との接続位置は、例えば、特定の用途及び／又はアンテナ（例えば、アンテナ要素）のタイプに依存し得ることを、当業者は認識するであろう。
【０１６２】
図１５及び１６を参照すると、第１のアンテナ要素１４０及び／又は第２のアンテナ要素１４２の各々の第１の端部２５８及び／又は第２の端部２６０は、例えば、フィードのタイプに応じて特定の形状を含み得る。一例として、図１５に示すように、第１の端部２５８及び／又は第２の端部２６０が平坦であり得、例えば、第１の端部２５８が平坦であり得る。別の例として、第１の端部２５８及び／又は第２の端部２６０が尖って（例えば、点で終端して）いてもよく、例えば、図１５及び１６に示すように第２の端部２６０が尖っていてもよい。
【０１６３】
図１７、及び図１−１６を参照すると、全体として３００で示すアンテナシステム１００の全方向カバレッジを提供する方法の一実施例が示されている。方法３００に、本発明の範囲を逸脱することなく変更、追加、又は省略を行うことができる。方法３００は、より多くの、より少ない、又は他のステップを含み得る。加えて、ステップを任意の適切な順番に実施することが可能である。
【０１６４】
図１７、並びに図１及び２を参照すると、ブロック３０２で示すように、方法３００は、構造物１０８を提供することを含み得る。構造物１０８は、第１の端部１１０、及び第１の端部１１０に対向する第２の端部１１２を含み得る。
【０１６５】
図１７、並びに図１及び２を参照すると、ブロック３０４で示すように、方法３００は、第１のアンテナ１０２を提供することを含み得る。ブロック３０６で示すように、方法３００は、構造物１０８の第１の端部１１０に第１のアンテナ１０２を連結することを含み得る。第１のアンテナ１０２は、第１の放射パターン１１４を含み得る。第１の放射パターン１１４は、第１のヌル１１８を含み得る。構造物１０８は、第１のヌル１１８を発生させ得る。
【０１６６】
図１７、並びに図１及び２を参照すると、ブロック３０８で示すように、方法３００は、第１のアンテナ１０２に対向する第２のアンテナ１０４を提供することを含み得る。ブロック３１０で示すように、方法３００は、構造物１０８の第２の端部１１２に第２のアンテナ１０４を連結することを含み得る。第２のアンテナ１０４は第２の放射パターン１１６を含み得る。第２の放射パターンは第２のヌル１２０を含み得る。構造物１０８は第２のヌル１２０を発生させ得る。
【０１６７】
第１のアンテナ１０２及び第２のアンテナ１０４は、それぞれ、第１の周波数帯１３６内で動作するように構成され得る。第１のアンテナ１０２及び第２のアンテナ１０４のうち少なくとも一方は、第２の周波数帯１３８内で動作するように更に構成され得る。第２の周波数帯１３８と第１の周波数帯１３６とは異なり得る。
【０１６８】
図１７、及び図２を参照すると、ブロック３１２で示すように、方法３００は、第１のヌル１１８を第２の放射パターン１１６で埋めることを含み得る。ブロック３１４で示すように、方法は、第２のヌル１２０を第１の放射パターン１１４で埋めることを含み得る。
【０１６９】
図１７、並びに図１及び７を参照すると、ブロック３１６で示すように、方法３００は、第１の放射パターン１１４と第２の放射パターン１１６との相互作用による相殺的干渉を防止するために、第１のアンテナ１０２及び第２のアンテナ１０４を位相調整することを含み得る。
【０１７０】
本発明の実施例は、図１８に示す航空宇宙移動体の製造及び保守方法１１００、並びに図１９に示す航空宇宙移動体１２００に照らして説明することができる。航空宇宙移動体１２００は、図１に示す移動体２０２又は図８に示す航空宇宙移動体２０４（例えば、航空機）の一実施例であり得る。一例として、航空宇宙移動体１２００は固定翼航空機であり得る。別の例として、航空宇宙移動体１２００が回転翼航空機であってもよい。
【０１７１】
製造前の段階では、例示的な方法１１００は、ブロック１１０２で示す航空宇宙移動体１２００の仕様及び設計と、ブロック１１０４で示す材料調達とを含み得る。製造段階では、ブロック１１０６で示す航空宇宙移動体１２００の構成要素及びサブアセンブリの製造とブロック１１０８で示すシステムインテグレーションとが行われる。その後、航空宇宙移動体１２００はブロック１１１０で示す認可及び納品を経て、ブロック１１１２で示す運航に供される。運航期間中、航空宇宙移動体１２００には、ブロック１１１４で示す定期的な整備及び保守がスケジューリングされ得る。定期的な整備及び保守は、航空宇宙移動体１２００の一又は複数のシステムの修正、再構成、改修などを含み得る。
【０１７２】
例示的な方法１１００のプロセスの各々は、システムインテグレータ、第三者、及び／又はオペレータ（例えば顧客）によって実行又は実施され得る。本明細書の目的のために、システムインテグレータは、限定しないが、任意の数の航空機製造者、及び主要システムの下請業者を含み得、第三者は、限定しないが、任意の数のベンダー、下請業者、及び供給業者を含み得、オペレータは、航空会社、リース会社、軍事団体、サービス機関などであり得る。
【０１７３】
図１９に示すように、例示的な方法１１００によって製造された航空宇宙移動体１２００は、複数の高レベルのシステム１２０４及び内装１２０６を有する機体１２０２を含むことができる。高レベルのシステム１２０４の例には、推進システム１２０８、電気システム１２１０、油圧システム１２１２、及び環境システム１２１４のうちの一又は複数が含まれる。任意の数の他のシステムが含まれてもよい。航空宇宙産業の例を示しているが、本発明の原理は、自動車産業、海洋産業、通信産業などの他の産業にも適用され得る。
【０１７４】
本書で示され説明されている装置及び方法は、製造及び保守方法１１００の、一又は複数の任意の段階において用いられ得る。例えば、構成要素及びサブアセンブリの製造（ブロック１１０６）に対応する構成要素又はサブアセンブリは、航空宇宙移動体１２００の運航（ブロック１１１２）中に製造される構成要素又はサブアセンブリと同様の方法で製作又は製造され得る。更に、一又は複数の装置、システム、及び方法、又はそれらの組み合わせの実施例は、例えば、航空宇宙移動体における電波の全方向カバレッジを提供することによって、生産段階（ブロック１１０８及び１１１０）中に用いられ得る。同様に、装置及び方法、又はこれらの組み合わせの一又は複数の実施例、或いはそれらの組み合わせは、限定するものではないが例としては、航空宇宙移動体１２００の運航（ブロック１１１２）期間中に、また整備及び保守段階（ブロック１１１４）で利用され得る。
【０１７５】
開示されている装置及び方法の様々な実施例を示し説明してきたが、当業者は本明細書を読むことで、変更態様を想起し得る。本出願はかかる変更態様を含み、特許請求の範囲によってのみ限定される。
【図１】
2017224872.tif 000003
【図２】
2017224872.tif 000004
【図３】
2017224872.tif 000005
【図４】
2017224872.tif 000006
【図５】
2017224872.tif 000007
【図６】
2017224872.tif 000008
【図７】
2017224872.tif 000009
【図８】
2017224872.tif 000010
【図９】
2017224872.tif 000011
【図１０】
2017224872.tif 000012
【図１１】
2017224872.tif 000013
【図１２】
2017224872.tif 000014
【図１３】
2017224872.tif 000015
【図１４】
2017224872.tif 000016
【図１５】
2017224872.tif 000017
【図１６】
2017224872.tif 000018
【図１７】
2017224872.tif 000019
【図１８】
2017224872.tif 000020
【図１９】
2017224872.tif 000021
【外国語明細書】
2017224872000001.pdf
2017224872000002.pdf
2017224872000003.pdf
2017224872000004.pdf